(57)【要約】【課題】  対象面に対する遊技機用表示装置の傾斜角度を調節可能にして、島端からの景観を良くするとともに、複数の表示装置の並設形状をホール独自のデザインで自由に設計可能とする。【解決手段】  遊技機２の近傍に設けられるとともに遊技に関する所定の情報を表示する遊技機用表示装置１であって、所定の情報を表示する表示装置本体１０と、当該遊技機用表示装置１を対象面に取り付ける際に対象面に固定される取付基台２０と、この取付基台２０と表示装置本体１０とを連結するとともに、表示装置本体１０を支持する支持部材３０とを備え、取付基台２０に支持部材３０が接続され、対象面に対する支持部材３０の角度が固定された状態で、対象面に対する表示装置本体１０の角度を調節するための角度調節部を備えた。【選択図】    図２
2014133035.tif 000002
【特許請求の範囲】
【請求項１】
遊技機の近傍に設けられるとともに遊技に関する所定の情報を表示する遊技機用表示装置であって、
前記所定の情報を表示する表示装置本体と、
当該遊技機用表示装置を対象面に取り付ける際に前記対象面に固定される取付基台と、
この取付基台と前記表示装置本体とを連結するとともに、前記表示装置本体を支持する支持部材とを備え、
前記取付基台に前記支持部材が接続され、前記対象面に対する前記支持部材の角度が一定の角度とされた状態で、この支持部材に連結された前記表示装置本体の角度を調節するための角度調節部を備えた
ことを特徴とする遊技機用表示装置。
【請求項２】
前記支持部材又は前記表示装置本体の一方が、棒状に突出した軸部を有し、他方が、前記軸部が挿入される回動用孔を有し、この回動用孔に挿入された前記軸部の中心軸を中心として前記表示装置本体が回動可能となっており、
前記角度調節部は、
前記表示装置本体に穿設されるピン孔であって、当該表示装置本体の有する前記軸部又は前記回動用孔の中心軸を中心とする円弧上に穿設された本体側ピン孔と、
前記支持部材に穿設されるピン孔であって、前記表示装置本体に引かれる円弧と同じ径で当該支持部材の有する前記回動用孔又は前記軸部の中心軸を中心として引かれる円弧上に穿設された支持側ピン孔と、
前記回動用孔に挿入された前記軸部の中心軸を中心として前記表示装置本体を回動させて、前記本体側ピン孔と前記支持側ピン孔とを重ね合わせたときに、これら重なり合った本体側ピン孔と支持側ピン孔に挿入されるロックピンとを有し、
前記本体側ピン孔又は前記支持側ピン孔のうち少なくとも一方が複数穿設されており、前記本体側ピン孔が複数穿設されているときの当該複数の本体側ピン孔のうちの一つと前記支持側ピン孔とを重ね合わせたとき、又は、前記支持側ピン孔が複数穿設されているときの当該複数の支持側ピン孔のうちの一つと前記本体側ピン孔とを重ね合わせたときに、これら重なり合った本体側ピン孔と支持側ピン孔に前記ロックピンを挿入する
ことを特徴とする請求項１記載の遊技機用表示装置。
【請求項３】
前記角度調節部の前記本体側ピン孔が、
前記表示装置本体の有する前記軸部又は前記回動用孔の中心軸を中心とした円弧である本体側第一円弧上に穿設された本体側第一ピン孔と、
前記表示装置本体の有する前記軸部又は前記回動用孔の中心軸を中心とする円弧であって、前記本体側第一円弧と異なる径で引かれる本体側第二円弧上に穿設された本体側第二ピン孔とを少なくとも有し、
前記支持部材の前記支持側ピン孔が、
前記支持部材の有する前記回動用孔又は前記軸部の中心軸を中心とする円弧であって、前記本体側第一円弧と同じ径で引かれる円弧上に穿設された支持側第一ピン孔と、
前記支持部材の有する前記回動用孔又は前記軸部の中心軸を中心とする円弧であって、前記本体側第二円弧と同じ径で引かれる円弧上に穿設された支持側第二ピン孔とを少なくとも有し、
前記本体側第一ピン孔の中心と前記表示装置本体の有する前記軸部又は前記回動用孔の中心軸とを結んだ線を第一中心線とし、前記本体側第二ピン孔の中心と前記表示装置本体の有する前記軸部又は前記回動用孔の中心軸とを結んだ線を第二中心線とし、前記支持側第一ピン孔の中心と前記支持部材の有する前記回動用孔又は前記軸部の中心軸とを結んだ線を第三中心線とし、前記支持側第二ピン孔の中心と前記支持部材の有する前記回動用孔又は前記軸部の中心軸とを結んだ線を第四中心線としたときに、
少なくとも、前記第一中心線と前記第二中心線、又は、前記第三中心線と前記第四中心線は、前記軸部又は前記回動用孔の中心軸を中心として所定の角度だけずれている
ことを特徴とする請求項２記載の遊技機用表示装置。
【請求項４】
前記角度調節部の前記本体側ピン孔が、
前記表示装置本体の有する前記軸部又は前記回動用孔の中心軸を中心とする円弧上に複数穿設されており、
前記角度調節部の前記支持側ピン孔が、
前記支持部材の有する前記回動用孔又は前記軸部の中心軸を中心とする円弧であって、前記表示装置本体に引かれる円弧と同じ径で引かれる円弧上に複数穿設されており、
前記表示装置本体に穿設された複数の前記本体側ピン孔の間隔と、前記支持部材に穿設された複数の前記支持側ピン孔の間隔が、異なる
ことを特徴とする請求項２又は３記載の遊技機用表示装置。
【請求項５】
前記表示装置本体の有する前記軸部又は前記回動用孔の中心軸を中心とする一の円弧上に穿設された複数の前記本体側ピン孔、又は、前記支持部材の有する前記回動用孔又は前記軸部の中心軸を中心とする一の円弧上に穿設された複数の前記支持側ピン孔が、隣同士、連通している
ことを特徴とする請求項２〜４のいずれかに記載の遊技機用表示装置。
【請求項６】
前記ロックピンが、所定の長さを有する棒状部と、この棒状部の端部に形成された頭部とを有し、
前記棒状部の中心軸が、前記頭部の中心に対して偏心しており、
前記頭部が嵌合する、前記支持部材の前記支持側ピン孔又は前記表示装置本体の前記本体側ピン孔が、前記頭部の形状と同一又は近似の形状に形成されており、
前記支持側ピン孔又は前記本体側ピン孔に対する前記ロックピンの挿入方向を中心として当該ロックピンの向きを変えることで、前記支持側ピン孔又は前記本体側ピン孔の中心と当該支持側ピン孔又は当該本体側ピン孔に重なっている本体側ピン孔又は支持側ピン孔の中心とを偏心させて、前記表示装置本体の傾斜角度を可変する
ことを特徴とする請求項２〜５のいずれかに記載の遊技機用表示装置。
【請求項７】
前記支持部材の表面に、所定の図柄が施された
ことを特徴とする請求項２〜６のいずれかに記載の遊技機用表示装置。
【発明の詳細な説明】
【技術分野】
【０００１】
本発明は、複数の遊技機のそれぞれに対応して設置され、遊技機の遊技状態や、遊技に関する所定の情報などを表示する遊技機用表示装置に関し、特に、当該装置を取り付けた取付面に対する当該装置の取付角度を調節可能とした遊技機用表示装置に関する。
【背景技術】
【０００２】
スロットマシン又はパチンコ機などの遊技機が設置された遊技場においては、多数の遊技機を複数列で配置するために、一列分又は二列分の遊技機を収納可能に設計された島台と呼ばれる収納筐体が設けられている。
また、遊技場においては、遊技機が大当り状態になると、店員がその遊技機の上方に設けられた島台の幕板又は欄間等に、「スタート」や「大当り」などが書かれた矩形状のプレートを取り付けて、その大当り状態を周囲に報知することが行われている。
【０００３】
プレートは、従来では、プラスチック製の板材に「スタート」などの文字が印刷されたものであったが、近年では、その装飾効果を高めるために、当該プレートを例えば導光板を用いて製造し、これに光を照射することで、そのプレートを発光させるものが提案されている（例えば、特許文献１参照。）。具体的には、例えば、本体部と称するプレートの取付基台の内部に複数のＬＥＤを配設し、この取付基台を島台の幕板等に固定しておき、この取付基台に上記のプレートを装着したときに、それらＬＥＤから放出された光が、装着されたプレートを構成する導光板に照射されることで、当該プレートが発光するようになっている。
【先行技術文献】
【特許文献】
【０００４】
【特許文献１】特開２００５−２８７９８７号公報
【発明の概要】
【発明が解決しようとする課題】
【０００５】
しかしながら、上述したプレートにおいては、次のような問題があった。
プレートは、島台の幕板又は欄間に固定された取付基台に装着される。
幕板は、平面状の板材であって、島台に収納して配置された複数の遊技機の上方に位置し、その板材の面方向が垂直方向となるように、島台の長手方向に沿って配設されている（図２１参照）。
また、欄間は、幕板と同様、平面状の板材であるが、幕板よりも長さが短い矩形状に形成されており、複数の遊技機の上方で、複数枚の欄間が、島台の長手方向に沿って、列状に配設される。
【０００６】
島台は、この島台に一列に収納された複数の遊技機の列方向の一端から他端までの長さが、数ｍから数十ｍに及ぶものが多い。このように島台の長さは非常に長いため、この島台の建て付けが少しでも狂うと、幕板や欄間の表面を、島台の端から端までフラットな均一面に維持させることが困難となり、歪み（ゆがみ）や起伏が生じてしまう。そうすると、それら幕板等に対して遊技機ごとに複数の取付基台を取り付けて固定し、これらにプレートを装着した場合には、その歪み等が生じたところに装着されたプレートの取付角度が他のプレートの取付角度と相違してしまい、島台の全体を島端から見たときに、それらプレートの取付角度が不揃いであることが確認されて、景観が悪くなってしまうという問題があった。
【０００７】
また、島台の幕板等に歪みがなくフラットな場合には、各プレートの取付角度がいずれも同じ角度となる。すなわち、その島台を島端から見たときに、各プレートが、水平方向に直線的に並んだ状態となる。ただし、遊技ホールの管理者としては、そのように並設された各プレートを辿ったときの形状を、ホール全体のデザインにマッチさせるために、例えば、山なりや波型のように規則的に変化する形状にアレンジしたい場合がある。ところが、そのプレートの取付角度を調節するための機構が備えられていないときは、各プレートの並設形状をアレンジできず、画一的に直線状しか選択できないため、ホール全体のデザイン設計が制限されるという問題があった。
【０００８】
さらに、特許文献１においては、プレートの表面に「スタート」等の文字を記載することになっているが、このプレートには、そのような「スタート」等の文字以外にも、例えば所定のキャラクターやマークなどの図柄を描画することが可能である。
そして、一の遊技機島に取り付けられた複数のプレートに共通して描かれている図柄の向きを統一することにより、この遊技機島における各図柄のデザインバランスを均整化させることができる。
ところが、一の遊技機島に取り付けられた複数のプレートの並設形状を所定の規則に従って変化させるようにするために、それらプレートごとに取付角度の調節機構を付設し、プレート一枚一枚に対して角度調節を行って、これらプレートごとに取付角度を異ならせると、それら複数のプレートに共通して描かれた各図柄の向きも、各プレートごとに変化する。そうすると、複数のプレートの並設形状を所定の規則に従って変化させることによりホール全体のデザイン性を向上させようとしているにもかかわらず、各プレートの図柄の向きがプレートごとに変化してしまって均整化がとれなくなり、各図柄のデザインバランスが崩れてしまうため、ホール全体のデザイン性を低下させる要因となってしまうという問題があった。
よって、プレートの取付角度については所望の角度に変更可能としつつ、このプレートに描かれた図柄の向きについては、変化することなく、遊技機島の全体で均整化させることを可能とする技術の提案が求められていた。
【０００９】
また、遊技機の近傍には、上述したプレートの他にも、例えば、遊技に関する所定の情報を表示することが可能な表示装置を遊技機ごとに設けることが考えられる。
このような表示装置を設ける場合においても、上述したプレートにおいて生じていた問題を解決することが求められ、この希求に応え得る技術の提案が期待されていた。
【００１０】
本発明は、上記の問題を解決すべくなされたものであり、遊技に関する所定の情報を表示する表示装置の取付角度を調節可能にして、島端からの景観を良くするとともに、一の遊技機島に取り付けられた複数の表示装置の並設形状をホール独自のデザインで自由に設計可能にし、かつ、複数の表示装置のそれぞれに描かれた図柄のデザインバランスを島全体で均整可能とした遊技機用表示装置の提供を目的とする。
【課題を解決するための手段】
【００１１】
この目的を達成するため、本発明の遊技機用表示装置は、遊技機の近傍に設けられるとともに遊技に関する所定の情報を表示する遊技機用表示装置であって、所定の情報を表示する表示装置本体と、当該遊技機用表示装置を対象面に取り付ける際に対象面に固定される取付基台と、この取付基台と表示装置本体とを連結するとともに、表示装置本体を支持する支持部材とを備え、取付基台に支持部材が接続され、対象面に対する支持部材の角度が一定の角度とされた状態で、この支持部材に連結された表示装置本体の角度を調節するための角度調節部を備えた構成としてある。
【発明の効果】
【００１２】
本発明の遊技機用表示装置によれば、島台に取り付けられた複数の遊技機用表示装置のそれぞれにおける表示装置本体の傾斜角度をすべて同じ角度に調節できることから、その島台を島端から見たときに、その景観を良好なものとすることができる。
また、表示装置本体の傾斜角度を任意の角度に調節又は微調節できるので、一の遊技機島に取り付けられた複数の表示装置の並設形状をホール独自のデザインで自由に設計できる。
さらに、表示装置本体の傾斜角度を調節しても、支持部材の外側に描かれた図柄の向きは変化しないので、複数の表示装置のそれぞれに描かれた図柄のデザインバランスを島全体で均整化させることができる。
【図面の簡単な説明】
【００１３】
【図１】本発明の実施形態における遊技機用表示装置の構成を示す外観斜視図である。
【図２】第一実施形態の角度調節部を備えた遊技機用表示装置の構成を示す分解斜視図である。
【図３】第一実施形態の角度調節部を備えた表示装置本体の構成を示す要部拡大図である。
【図４】第一実施形態の角度調節部を備えた支持部材の構成を示す正面図である。
【図５】第一実施形態の角度調節部を備えた表示装置本体の仮想基準線が水平状態にある遊技機用表示装置の構成を示す正面図である。
【図６】第一実施形態の角度調節部を備えた表示装置本体の仮想基準線が水平から上方に１０°傾斜した状態にある遊技機用表示装置の構成を示す正面図である。
【図７】第一実施形態の角度調節部を備えた表示装置本体の仮想基準線が水平から上方に４０°傾斜した状態にある遊技機用表示装置の構成を示す正面図である。
【図８】第一実施形態の角度調節部を備えた表示装置本体の仮想基準線が水平から上方に３°傾斜した状態にある遊技機用表示装置の構成を示す正面図である。
【図９】表示装置本体の仮想基準線が水平であるときの、装飾カバーに描かれたキャラクターの状態を示す正面図である。
【図１０】表示装置本体の仮想基準線が水平から上方に４０°傾斜した状態であるときの、装飾カバーに描かれたキャラクターの状態を示す正面図である。
【図１１】第二実施形態の角度調節部を備えた支持部材の構成を示す正面図である。
【図１２】第二実施形態の角度調節部を備えた表示装置本体の仮想基準線が水平から上方に３°傾斜した状態にある遊技機用表示装置の構成を示す正面図である。
【図１３】第二実施形態の角度調節部を備えた表示装置本体の仮想基準線が水平から上方に６°傾斜した状態にある遊技機用表示装置の構成を示す正面図である。
【図１４】第三実施形態の角度調節部を備えた表示装置本体の構成を示す要部拡大図である。
【図１５】第四実施形態の角度調節部を構成するロックピンの形状を示す外観斜視図である。
【図１６】第四実施形態の角度調節部を備えた支持部材の構成を示す正面図である。
【図１７】第四実施形態の角度調節部を備えた表示装置本体の仮想基準線が水平から上方に１３°傾斜した状態にある遊技機用表示装置の構成を示す正面図である。
【図１８】棒状部が下方に偏心したロックピンを表示装置本体と支持部材の各ピン挿通孔に挿入したときの当該ロックピン及びその周辺の構成を示す断面図である。
【図１９】第四実施形態の角度調節部を備えた表示装置本体の仮想基準線が水平から上方に７°傾斜した状態にある遊技機用表示装置の構成を示す正面図である。
【図２０】棒状部が上方に偏心したロックピンを表示装置本体と支持部材の各ピン挿通孔に挿入したときの当該ロックピン及びその周辺の構成を示す断面図である。
【図２１】遊技機用表示装置が取り付けられた島台の構成を示す外観斜視図である。
【発明を実施するための形態】
【００１４】
以下、本発明に係る遊技機用表示装置の好ましい実施形態について、図面を参照して説明する。
【００１５】
本実施形態に係る遊技機用表示装置は、スロットマシンやパチンコ機等の遊技機が多数設置されている遊技場の遊技機島の島台に取り付けられ、少なくとも遊技機の稼動に関連して発生する遊技信号を含む入力信号に基づき、ＬＥＤ等の光源を点灯制御することで、立体形状の演出用ランプの発光態様により、対応する遊技機の遊技状態等を報知することができるようになっている。
【００１６】
このような機能を発揮する本実施形態の遊技機用表示装置は、図１、図２に示すように、遊技に関する所定の情報を表示する表示手段１１が設けられた表示装置本体１０と、当該遊技機用表示装置１を任意の対象面に取り付けて固定するための取付基台２０と、この取付基台２０と表示装置本体１０とを連結するとともに、その表示装置本体１０を支持する支持部材３０と、この支持部材３０の表面を覆い隠す装飾カバー４０とを備えている。
このような構成を備えた遊技機用表示装置１においては、表示装置本体１０と支持部材３０との連結部分を中心として表示装置本体１０が回動可能となっており、当該遊技機用表示装置１を対象面に取り付けて固定した状態で表示装置本体１０を回動させることにより、この表示装置本体１０の傾斜角度を変更できるようになっている。
ここでは、まず、表示装置本体１０の構成及び表示機能と、取付基台２０及び支持部材３０の構成について先に説明し、その後に、表示装置本体１０の傾斜角度を変更可能とするための角度調節機構について説明する。
【００１７】
表示装置本体１０は、内部に所定の空間を有する横長直方体状の筐体１２と、この筐体１２の一又は二以上の側面（例えば、筐体１２における一の垂直な側面と、この側面に対向する垂直な側面）のそれぞれに位置して遊技に関する所定の情報を表示する表示手段１１と、筐体１２の内部空間に収納された制御基板（図示せず）と、筐体１２の表面における所定の箇所に付設された一又は二以上の演出用ランプ１３とを有している。
【００１８】
表示手段１１は、例えば一つの数字又は文字を七つのセグメントの点灯又は消灯の組み合わせによって表現する７セグメント表示器を複数用いて構成されており、遊技に関する所定の情報、例えば、遊技が行われた回数を示す遊技回数、大当たりの回数を示す特賞当たり回数などを表示可能なカウンター表示部として機能する。また、遊技場の店員を呼び出す際に「ｃａｌｌ」といった文字を表示させることもできる。
【００１９】
制御基板には、演出用ランプ１３を点灯させるためのＬＥＤなどの光源（図示せず）と、複数の光源の点灯制御を行うＣＰＵからなる制御部（図示せず）と、この制御部が遊技機２から所定の信号を受信するための信号用配線（図示せず）などが配設されている。
なお、制御部が受信する所定の信号には、遊技機２の稼働に伴って当該遊技機２から出力される遊技信号が含まれる。この遊技信号には、例えば、メダルなどの遊技媒体が遊技機２に投入されたことを示す遊技媒体投入信号や、遊技機２が大当り中であることを示す大当り信号などがある。
【００２０】
制御部は、遊技機２から遊技信号を含む所定の入力信号を入力すると、この入力信号にもとづいて、光源を所定の態様で点灯制御する。
例えば、制御部が、遊技機２に所定の遊技媒体が投入されたことを示す遊技媒体投入信号を当該遊技機２から入力すると、光源を所定時間発光させて、演出用ランプ１３（例えば、さくらんぼの形状を表現した演出用ランプ１３）を点灯させる。これにより、遊技機２が遊技中であることをその演出用ランプ１３に表示させることができる。
また、制御部が、所定の遊技状態に内部当選したことを示す信号を遊技機２から入力すると、光源を発光させて、演出用ランプ１３（例えば、円板状の演出用ランプ１３）を点灯させる。これにより、その遊技機２において所定の遊技状態が内部当選したことをその演出用ランプ１３に表示させることができる。
さらに、制御部が、特定の遊技状態に入賞したことを示す大当り信号を遊技機２から入力すると、光源を発光させて、演出用ランプ１３（例えば、筐体１２の下面に付設された棒状の演出用ランプ１３）を点灯させる。これにより、その遊技機２が大当り中であることをその演出用ランプ１３に表示させることができる。
【００２１】
そして、制御部が、遊技機２から遊技媒体投入信号、大当り信号等の所定の信号を入力し、これら入力した信号にもとづいて遊技に関する所定の情報、例えば、遊技回数、大当たり回数などを算出し、これら算出した数値に応じてセグメントごとに光源を点灯制御する。これにより、それら遊技に関する情報を表示手段１１に表示させることができる。
【００２２】
ここまで、表示装置本体１０の構成及び表示機能について説明した。
次に、取付基台２０の構成と、支持部材３０の構成について詳述する。
【００２３】
取付基台２０は、肉厚の板状に形成されており、この板状の一方の面である上面２１から反対側の面である下面２２に向かってネジ孔２３が一又は二以上穿設されている。
この取付基台２０を有する遊技機用表示装置１を、例えば遊技機島の島台３の天面に取り付ける場合には（図２１参照）、その取付基台２０の下面２２が島台３の天面に接するように当該遊技機用表示装置１をその天面に載置し、取付基台２０のネジ孔２３から島台３の天面のネジ孔（図示せず）に向かってネジを螺入することで、当該遊技機用表示装置１をその天面に固定することができる。
なお、取付基台２０の載置位置は、島台３の天面に限るものではなく、例えば、島台３の幕板４又は欄間５に付設されたＬ字状の被取付金具（図示せず）を載置位置とすることができる。この場合、取付基台２０をその被取付金具に載置し、取付基台２０のネジ孔２３からその被取付金具のネジ孔に向かってネジを螺入することで、当該遊技機用表示装置１をその被取付金具が付設された幕板４等に取り付けて固定することができる。
【００２４】
支持部材３０は、表示装置本体１０と取付基台２０との間に介在してこれらを連結するための部材であって、取付基台２０の上面２１に突設された軸受２４の貫通孔に挿入される回動軸３１と、表示装置本体１０に連結する支持側連結部３２とを有している。
回動軸３１は、取付基台２０の軸受２４の貫通孔に挿入されることで、この取付基台２０と支持部材３０とを結合するとともに、支持部材３０を回動可能に軸支する。よって、この支持部材３０の回動軸３１と取付基台２０の軸受２４は、ヒンジ部を構成する。
なお、支持部材３０が回動軸３１を中心として回動していない状態においては、この支持部材３０の底部が取付基台２０の上面２１に接するとともに、対象面に対する支持部材３０の角度が一定の角度で維持される。
【００２５】
支持側連結部３２は、全体的に円形の板状に形成されており、表示装置本体１０の筐体１２の側面に円形状に凹設された凹設部６１に嵌合する。
また、円形板状である支持側連結部３２の一方の円形面であって、嵌合する凹設部６１に対向する面を支持側対向面３３とすると、この支持側対向面３３の中央部分には、当該中央部分から直交外方に向かって突出した棒状の軸部３４が形成されている。
一方、表示装置本体１０の筐体１２においては、図３に示すように、凹設部６１を含む部分を本体側連結部６０とし、その凹設部６１に嵌合する支持部材３０の支持側連結部３２に対向する面を本体側対向面６２とすると、この本体側対向面６２の中程には、横長直方体状である表示装置本体１０の厚さ方向に、回動用孔である回動用貫通孔６３が穿設されている。そして、この回動用貫通孔６３に支持部材３０の軸部３４を挿入しながら、その支持部材３０の支持側連結部３２を表示装置本体１０の凹設部６１に嵌合することにより、その表示装置本体１０に対して支持部材３０が接続され、当該表示装置本体１０が、軸部３４の中心軸を中心として回動可能となる。
【００２６】
なお、支持部材３０は、図２に示すように、二つの部材で構成されており、これら二つの部材は、ほぼ鏡像対象の形状に形成されている。ただし、これら二つの部材のそれぞれに形成された軸部３４は、一方の軸部３４の先端部が凸状に形成され、他方の軸部３４の先端部が凹状に形成されており、前者が後者に嵌合することで、一本の棒状の軸部３４が構成される。
また、表示装置本体１０においては、一の垂直な側面である第一側面１４と、この第一側面１４に対向する側面である第二側面１５のそれぞれに凹設部６１が形成されており、鏡像対象に形成された二つの支持部材３０のうちの一方が、その第一側面１４に形成された凹設部６１に嵌合し、他方が、第二側面１５に形成された凹設部６１に嵌合する。そして、一方の支持部材３０の軸部３４が、表示装置本体１０の第一側面１４に位置する、回動用貫通孔６３の一方の開口に挿入され、他方の支持部材３０の軸部３４が、表示装置本体１０の第二側面１５に位置する、回動用貫通孔６３の他方の開口に挿入されると、この回動用貫通孔６３の内部では、それら一方の支持部材３０の軸部３４の先端凹部に他方の支持部材３０の軸部３４の先端凸部が嵌合して、一本の軸部３４が構成される。
これにより、表示装置本体１０は、凹設部６１が形成された第一側面１４の当該箇所と凹設部６１が形成された第二側面１５の当該箇所において二つの支持部材３０により挟持され、この状態でそれら支持部材３０により支持されるとともに、回動用貫通孔６３に挿入された支持部材３０の軸部３４の中心軸を中心として回動可能となっている。
【００２７】
このように、支持部材３０の支持側連結部３２は、表示装置本体１０の本体側連結部６０の凹設部６１に嵌合するとともに、軸部３４によって軸支することで、支持部材３０と表示装置本体１０とを連結するものであるが、これら支持側連結部３２と本体側連結部６０とを備えて支持部材３０と表示装置本体１０とを連結可能とする連結機構においては、支持部材３０に対する表示装置本体１０の連結角度を調節可能となっている。
次に、その表示装置本体１０の連結角度を調節可能とするための機構を角度調節部として、以下に説明する。
なお、この角度調節部の構成の代表例として、ここでは四つの構成を挙げ、これらを第一実施形態〜第四実施形態として説明する。
また、支持部材３０に対する表示装置本体１０の連結角度の調節は、すなわち、当該遊技機用表示装置１を対象面に載置固定したときに、その対象面に対する表示装置本体１０の傾斜角度を調節することに等しいことから、以下の実施形態においては、「対象面に対する表示装置本体１０の傾斜角度を調節すること」に視点を置いて説明する。
【００２８】
［角度調節部の第一実施形態］
本実施形態の角度調節部は、遊技機用表示装置１が載置固定される対象面に対する表示装置本体１０の傾斜角度を調節可能とするとともに、その傾斜角度を微調節可能とする機構を備えている。
ここでは、その角度調節部の内訳として、表示装置本体１０の傾斜角度の調節機構を先に説明するとともに、その傾斜角度の微調節機構を、その後に説明する。
【００２９】
（表示装置本体の傾斜角度の調節機構）
図３に示すように、表示装置本体１０における本体側連結部６０の本体側対向面６２には、回動用貫通孔６３の中心軸を中心とした円弧である本体側第一円弧６４１上に、貫通孔であるピン挿通孔６５が、本体側ピン孔として、横長直方体状である当該表示装置本体１０の厚さ方向に穿設されている。
このピン挿通孔６５は、その本体側第一円弧６４１上における所定の領域に、等間隔で、複数穿設されている。なお、これら複数のピン挿通孔６５のそれぞれを本体側第一ピン孔６５１とする。また、図３においては、この本体側第一ピン孔６５１が、本体側第一円弧６４１上における所定の領域に、五つ穿設されている。
【００３０】
一方、支持部材３０の支持側連結部３２には、図４に示すように、軸部３４の中心軸を中心とする支持側第一円弧３５１上に、円形の貫通孔であるピン挿通孔３６が、支持側ピン孔として、板状である当該支持側連結部３２の厚さ方向に穿設されている。
なお、そのピン挿通孔３６を支持側第一ピン孔３６１とする。また、図４においては、この支持側第一ピン孔３６１が、支持側第一円弧３５１上に一つのみ穿設されている。さらに、この支持側第一ピン孔３６１が穿設される支持側第一円弧３５１の半径ｒ２１は、表示装置本体１０において本体側第一ピン孔６５１が穿設される本体側第一円弧６４１の半径ｒ１１と同じ長さとなっている。
【００３１】
このような構造を備えることにより、本実施形態の遊技機用表示装置１は、対象面に対する表示装置本体１０の傾斜角度を調節できる。
具体的な調節方法について、説明する。
前提として、表示装置本体１０においては、その筐体１２の第一側面１４に形成された凹設部６１に一の支持部材３０が嵌合しており、その筐体１２の第二側面１５に形成された凹設部６１に他の支持部材３０が嵌合しているものとする。
また、図５に示すように、支持部材３０には、装飾カバー４０が装着されていないものとする。そして、支持部材３０の底部には、取付基台２０が接続されているものとする。
さらに、表示装置本体１０の本体側連結部６０に穿設された五つの本体側第一ピン孔６５１のうち最も下方に位置する本体側第一ピン孔６５１をピン孔ａ１１とし、最も上方に位置する本体側第一ピン孔６５１をピン孔ａ１５とする。
【００３２】
図５に示すように、取付基台２０の下面２２が水平面（例えば、島台３の天面など）に接するように当該遊技機用表示装置１をその水平面に載置し、ネジ（図示せず）等を用いてその水平面に取付基台２０を螺着固定した場合において、横長直方体状である表示装置本体１０の長手方向が、回動用貫通孔６３から水平方向に延伸した状態となり、かつ、当該表示装置本体１０がこれ以上下方へ回動しない状態となっているとき、支持部材３０の支持側第一ピン孔３６１と表示装置本体１０のピン孔ａ１１が丁度重なり合って連通した状態となる。これら重なり合って連通している支持側第一ピン孔３６１とピン孔ａ１１にロックピン５０を挿入することで、表示装置本体１０は、その長手方向が回動用貫通孔６３から水平方向に延伸した状態で位置決めされて固定される。
【００３３】
なお、ロックピン５０は、角度調節部の一部品として位置付けられるものであって、図２に示すように、円板状の頭部５１と、この頭部５１の一の面から突出した円柱形状の棒状部５２とを有して形成されており、頭部５１を除いた棒状部５２の長さ（円柱形状の軸方向の長さ）は、横長直方体状である表示装置本体１０の筐体１２の厚さよりも長くなっている。このため、このロックピン５０を支持部材３０の支持側第一ピン孔３６１と表示装置本体１０のピン孔ａ１１に挿入すると、そのロックピン５０の棒状部５２が、表示装置本体１０のピン孔ａ１１の内部に位置するとともに、他の支持部材３０の支持側第一ピン孔３６１に係合するようになっている。
【００３４】
また、表示装置本体１０においては、回動用貫通孔６３の中心軸に直交するとともに、横長直方体状である表示装置本体１０の長手方向（図５に示す横方向）に引かれた仮想線を仮想基準線とする。この仮想基準線は、表示装置本体１０が図５に示す状態の場合、取付基台２０が固定された水平面に対して平行な水平の線となっている。
【００３５】
次に、そのロックピン５０を取り外し、表示装置本体１０の回動用貫通孔６３の中心軸（すなわち、この回動用貫通孔６３に挿入されている支持部材３０の軸部３４の中心軸）を中心として、表示装置本体１０を回動させる。このとき、表示装置本体１０の先端部（この表示装置本体１０のうち、本体側連結部６０を有する側の端部とは反対側の端部）が上方へ持ち上がる方向に回動させる。そうすると、支持部材３０の支持側第一ピン孔３６１に連通する表示装置本体１０の本体側第一ピン孔６５１が、ピン孔ａ１１→ａ１２→ａ１３→ａ１４→ａ１５の順に移動する（ピン孔ａ１１〜ａ１５については、図３参照）。
ここで、これらピン孔ａ１１〜ａ１５の間隔は、図３に示したように、等間隔となっている。また、それらピン孔ａ１１〜ａ１５である円形の貫通孔のそれぞれの中心軸と回動用貫通孔６３の中心軸とを結んだ線を第一中心線である外孔中心線６６１としたときに、これら外孔中心線６６１の各間の角度である外側孔間角度θ１１は、いずれも同じ角度（図３においては、１０°）となっている。このことから、表示装置本体１０をその外側孔間角度θ１１と同じ角度ずつ上方へ回動させると、そのたびに、支持部材３０の支持側第一ピン孔３６１に連通する表示装置本体１０の本体側第一ピン孔６５１が、ピン孔ａ１１→ａ１２→ａ１３→ａ１４→ａ１５の順に移動する。
【００３６】
そして、それら複数のピン孔ａ１１〜ａ１５からなる表示装置本体１０の本体側第一ピン孔６５１のうちの一つのピン孔と支持部材３０の支持側第一ピン孔３６１とが重なり合って連通した状態で表示装置本体１０の回動を停止し、この状態で、それら重なり合って連通している支持側第一ピン孔３６１と本体側第一ピン孔６５１にロックピン５０を挿入する。このとき、例えば、支持側第一ピン孔３６１と本体側第一ピン孔６５１のピン孔ａ１２とが連通した状態でロックピン５０を挿入したのであれば、図６に示すように、表示装置本体１０は、水平から外側孔間角度θ１１の分だけ上方に持ち上がった状態で固定される。つまり、この場合の表示装置本体１０の傾斜角度は、外側孔間角度θ１１と同じ角度（例えば、１０°）となる。
また、図７に示すように、支持側第一ピン孔３６１と本体側第一ピン孔６５１のピン孔ａ１５とが連通した状態でロックピン５０を挿入したのであれば、表示装置本体１０は、水平から外側孔間角度θ１１×４（例えば、外側孔間角度θ１１が１０°のときは、４０°）の角度分だけ上方に持ち上がって傾斜した状態で固定される。つまり、この場合の表示装置本体１０の傾斜角度は、外側孔間角度θ１１×４と同じ角度（例えば、４０°）となる。
【００３７】
このような構成からなる表示装置本体１０の傾斜角度の調節機構を備えることにより、本実施形態の遊技機用表示装置１は、表示装置本体１０の傾斜角度を外側孔間角度θ１１の間隔（例えば、１０°の間隔）で調節することができる。
【００３８】
（表示装置本体の傾斜角度の微調節機構）
上述したように、上記の「表示装置本体の傾斜角度の調節機構」を備えることにより、遊技機用表示装置１は、表示装置本体１０の傾斜角度を外側孔間角度θ１１の間隔で調節することができる。
ただし、上記の調節機構のみでは、その調節可能な角度の最小単位が外側孔間角度θ１１となるため、これよりも小さい角度で微調節することができない。
そこで、本実施形態の遊技機用表示装置１では、その調節可能な角度の最小単位を外側孔間角度θ１１よりも小さくするために、以下に説明する表示装置本体１０の傾斜角度の微調節機構を備えている。
【００３９】
図３に示すように、表示装置本体１０の本体側対向面６２には、複数の本体側第一ピン孔６５１が穿設されている。この本体側第一ピン孔６５１については、「表示装置本体の傾斜角度の調節機構」において説明したとおりである。
また、その表示装置本体１０の本体側対向面６２には、回動用貫通孔６３の中心軸を中心とする円弧であって、本体側第一円弧６４１の半径ｒ１１とは異なる半径ｒ１２の円弧である本体側第二円弧６４２上に、貫通孔であるピン挿通孔６５が、本体側第二ピン孔６５２として、当該表示装置本体１０の横長直方体状の厚さ方向に、一又は二以上穿設されている。
なお、図３においては、この本体側第二ピン孔６５２が、その本体側第二円弧６４２上における所定の領域に、等間隔で、五つ穿設されている。
また、五つの本体側第二ピン孔６５２のうち最も下方に位置する本体側第二ピン孔６５２をピン孔ａ２１とし、最も上方に位置する本体側第二ピン孔６５２をピン孔ａ２５とする。
【００４０】
この本体側第二ピン孔６５２である円形の貫通孔の中心軸は、複数の本体側第一ピン孔６５１のそれぞれの中心と回動用貫通孔６３の中心軸とを結んだ線である外孔中心線６６１から外れたところに位置している。
この点について、さらに説明する。外孔中心線６６１は、前述したように、複数の本体側第一ピン孔６５１のそれぞれの中心と回動用貫通孔６３の中心軸とを結んだ線である。よって、この外孔中心線６６１の総数は、本体側第一ピン孔６５１の数と同じとなる。また、それら複数の外孔中心線６６１の各間における外側孔間角度θ１１は、いずれも同じ（図３においては、１０°）となっている。
一方、本体側第二ピン孔６５２の中心と回動用貫通孔６３の中心軸とを結んだ線を第二中心線である内孔中心線６６２とすると、この内孔中心線６６２の数は、本体側第二ピン孔６５２の数と同じである。また、本体側第二ピン孔６５２が複数穿設されている場合、これら複数の本体側第二ピン孔６５２は、本体側第二円弧６４２上において等間隔で穿設される。この場合、複数の内孔中心線６６２の各間の角度である内側孔間角度θ１２は、いずれも同じとなる。
【００４１】
そして、複数の外孔中心線６６１の各間の角度である外側孔間角度θ１１と、複数の内孔中心線６６２の各間の角度である内側孔間角度θ１２は、同じ角度（図３においては、１０°）となっている。
ただし、外孔中心線６６１と内孔中心線６６２は、同一線上にはなく、所定の角度をもってずれている。これら外孔中心線６６１と内孔中心線６６２との間の角度を内外孔間角度θ１３とすると、それら複数の外孔中心線６６１と複数の内孔中心線６６２との各間の内外孔間角度θ１３は、すべて同じ角度となる。なお、図３においては、この内外孔間角度θ１３が、３°となっている。
これにより、本体側第二ピン孔６５２である円筒形状の貫通孔の中心軸は、外孔中心線６６１から外れたところに位置するようになっている。
【００４２】
一方、支持部材３０の支持側連結部３２には、支持側第一ピン孔３６１が一つ穿設されている。この支持側第一ピン孔３６１については、「表示装置本体の傾斜角度の調節機構」において説明したとおりである。
また、その支持部材３０の支持側連結部３２には、軸部３４の中心軸を中心とする円弧であって、支持側第一円弧３５１の半径ｒ２１とは異なる半径ｒ２２の円弧である支持側第二円弧３５２上に、貫通孔であるピン挿通孔３６が、支持側第二ピン孔３６２として、板状である当該支持側連結部３２の厚さ方向に、一つ穿設されている。なお、この支持側第二ピン孔３６２が穿設される支持側第二円弧３５２の半径ｒ２２は、表示装置本体１０の本体側連結部６０において本体側第二ピン孔６５２が穿設される本体側第二円弧６４２の半径ｒ１２と同じ長さとなっている。
この支持側第二ピン孔３６２である円形の貫通孔の中心は、支持側第一ピン孔３６１の中心と軸部３４の中心軸とを結んだ線である支持側中心線３７の線上に位置している。
【００４３】
これらの構造を備えることにより、本実施形態の遊技機用表示装置１は、対象面に対する表示装置本体１０の傾斜角度を微調節できる。
具体的な微調節の方法について、説明する。
図５に示すように、表示装置本体１０の仮想基準線が水平となっているとき、支持部材３０の支持側第一ピン孔３６１と表示装置本体１０のピン孔ａ１１が丁度重なり合って連通した状態となる。これら重なり合って連通している支持側第一ピン孔３６１とピン孔ａ１１にロックピン５０を挿入することで、表示装置本体１０は、仮想基準線が水平となっている状態で位置決めされて固定される。
【００４４】
このように表示装置本体１０の仮想基準線が水平となっている状態においては、当該表示装置本体１０のピン孔ａ１１と支持部材３０の支持側第一ピン孔３６１が連通しているが、表示装置本体１０の本体側第二ピン孔６５２と支持部材３０の支持側第二ピン孔３６２は、連通していない。これは、支持部材３０においては、支持側第二ピン孔３６２が支持側中心線３７の線上に穿設されているのに対し、表示装置本体１０においては、本体側第二ピン孔６５２が外孔中心線６６１から内外孔間角度θ１３の分だけ上方にずれた位置に穿設されているからである。
【００４５】
次に、そのロックピン５０を取り外し、軸部３４及び回動用貫通孔６３の中心軸を中心として、表示装置本体１０を上方へ持ち上がる方向に回動させる。このとき、表示装置本体１０の傾斜角度が内外孔間角度θ１３と同じ角度（例えば、３°）になるところまで、この表示装置本体１０を上方へ回動させると、図８に示すように、支持部材３０の支持側第二ピン孔３６２と表示装置本体１０の本体側第二ピン孔６５２のピン孔ａ２１が丁度重なり合って連通した状態となる。これら重なり合って連通している支持側第二ピン孔３６２とピン孔ａ２１にロックピン５０を挿入することで、表示装置本体１０は、仮想基準線が水平から内外孔間角度θ１３と同じ角度（例えば、３°）だけ傾斜した状態で位置決めされて固定される。
【００４６】
ここまで説明したように、ロックピン５０を挿入するピン挿通孔を、例えば、支持部材３０の支持側第一ピン孔３６１と表示装置本体１０の本体側第一ピン孔６５１とした場合、表示装置本体１０の傾斜角度の調節可能な最小角度は、外側孔間角度θ１１と同一となる。なお、図６は、表示装置本体１０の傾斜角度を外側孔間角度θ１１と同一の角度（１０°）とした状態を示している。
これに対し、ロックピン５０を挿入するピン挿通孔を支持部材３０の支持側第二ピン孔３６２と表示装置本体１０の本体側第二ピン孔６５２とした場合、表示装置本体１０の傾斜角度の調節可能な最小角度は、外側孔間角度θ１１よりも小さい角度である内外孔間角度θ１３と同一とすることができる。なお、図８は、表示装置本体１０の傾斜角度を内外孔間角度θ１３と同一の角度（３°）とした状態を示している。
【００４７】
また、図８に示した遊技機用表示装置１は、支持部材３０の支持側第二ピン孔３６２と表示装置本体１０の本体側第二ピン孔６５２のピン孔ａ２１が丁度重なり合って連通した状態を示しているが、表示装置本体１０をさらに上方へ回動させていくと、支持部材３０の支持側第二ピン孔３６２に連通する表示装置本体１０の本体側第二ピン孔６５２は、ピン孔ａ２１→ａ２２→ａ２３→ａ２４→ａ２５の順に移動する。これらピン孔ａ２１〜ａ２５に支持側第二ピン孔３６２が連通するときの表示装置本体１０の傾斜角度は、３°、１３°、２３°、３３°、４３°となる。これらの傾斜角度は、支持部材３０の支持側第一ピン孔３６１と表示装置本体１０の本体側第一ピン孔６５１とを連通させたときの表示装置本体１０の傾斜角度である０°、１０°、２０°、３０°、４０°と異なる角度であって、３°ずつずれた角度となっている。
よって、本実施形態の遊技機用表示装置１は、表示装置本体１０の傾斜角度の調節を、１０°間隔だけでなく、さらにこれらから３°変位した角度への微調節も可能となっている。
【００４８】
以上説明した微調節機構による微調節が必要となる場面としては、次の場面が考えられる。
例えば、この遊技機用表示装置１を水平面に載置固定した場合において、表示装置本体１０の本体側第一ピン孔６５１のピン孔ａ１１と支持部材３０の支持側第一ピン孔３６１が重なり合っており、ここにロックピン５０を挿入したとき、本来であれば、表示装置本体１０の仮想基準線が水平となるはずであるが、当該表示装置本体１０の自重により、その仮想基準線が、回動用貫通孔６３の中心軸を中心として水平よりも下方へ傾斜することがある。この場合、表示装置本体１０の傾斜角度は、外側孔間角度θ１１よりも小さい角度（例えば、１０°以下）であることが考えられる。
また、回動用貫通孔６３の中心軸を中心として表示装置本体１０を上方へ回動した場合において、表示装置本体１０の本体側第一ピン孔６５１のピン孔ａ１２〜ａ１５のいずれかと支持部材３０の支持側第一ピン孔３６１が重なり合っており、ここにロックピン５０を挿入したとき、本来であれば、表示装置本体１０の傾斜角度は、外側孔間角度θ１１の倍数の角度（例えば、１０°、２０°、３０°、４０°）となるはずであるが、当該表示装置本体１０の自重により、その傾斜角度が、それらの角度よりも少し下方へ下がった角度となることが考えられる。
そこで、それら表示装置本体１０の自重による傾斜角度の下降を考慮して、「表示装置本体の傾斜角度の微調節機構」を用いて当該角度の微調節を行う。すなわち、所望の傾斜角度よりも少し上方へ表示装置本体１０を回動し、この状態で重なり合った表示装置本体１０の本体側第二ピン孔６５２と支持部材３０の支持側第二ピン孔３６２にロックピン５０を挿入する。これにより、表示装置本体１０の傾斜角度がその自重により下降した状態で所望の角度となるように微調節することができる。
【００４９】
さらに、本実施形態の遊技機用表示装置１においては、次のような調節が可能となっている。例えば、調節しようとする表示装置本体１０の傾斜角度について、凡その見当はついているものの、明確な角度が決まっていない場合に、まず、当該表示装置本体１０の本体側第一ピン孔６５１と支持部材３０の支持側第一ピン孔３６１とを用いて概略的な傾斜角度を設定し、この設定した角度まで、表示装置本体１０の傾斜角度を調節する。そして、この調節した角度が所望の角度と相違しているときは、表示装置本体１０の本体側第二ピン孔６５２と支持部材３０の支持側第二ピン孔３６２とを用いて傾斜角度の微調節を行うようにする。これにより、表示装置本体１０の傾斜角度を所望の角度に近づけることができる。
【００５０】
また、本実施形態の遊技機用表示装置１においては、表示装置本体１０の傾斜角度を可変しても、装飾カバー４０の表面に描かれたキャラクターなどの図柄の向きが変化しないようになっている。
例えば、図９に示すように、表示装置本体１０の仮想基準線が水平である場合における当該キャラクターの向きを基準の向きとする。そして、図１０に示すように、表示装置本体１０の仮想基準線を水平から上方に４０°傾斜するように当該表示装置本体１０を回動させた状態における当該キャラクターの向きと、図９に示した当該キャラクターの基準の向きとを比較すると、これらは同一となっている。
これは、そのキャラクターが描かれた装飾カバー４０が支持部材３０に取り付けられており、表示装置本体１０が回動しても支持部材３０は回動せず、当該支持部材３０の角度が対象面に固定された取付基台２０に対して一定の角度となった状態で静止しているためである。
このように、表示装置本体１０の傾斜角度を調節してもキャラクターの向きが変化することがないため、複数の遊技機用表示装置１が取り付けられた島台３を島端から見たときに、それら複数の遊技機用表示装置１のそれぞれのキャラクターが同じ向きに整列するので、これらキャラクターのデザインバランスを均整化させることができる。
なお、この効果は、本実施形態の遊技機用表示装置１を実施したときにのみ得られるものではなく、以下に説明する第二〜第四実施形態の遊技機用表示装置１を実施した場合にも同様に得ることができる。
【００５１】
また、本実施形態においては、外側孔間角度θ１１と内側孔間角度θ１２を１０°とし、内外孔間角度θ１３を３°としたが、それらθ１１、θ１２、θ１３の角度は、１０°又は３°に限るものではなく、任意の角度に設定することができる。
【００５２】
また、本実施形態においては、本体側第一ピン孔６５１と本体側第二ピン孔６５２をそれぞれ複数穿設し、支持側第一ピン孔３６１と支持側第二ピン孔３６２をそれぞれ一つずつ穿設する構成としたが、この構成に限るものではなく、例えば、本体側第一ピン孔６５１と本体側第二ピン孔６５２をそれぞれ一つずつ穿設し、支持側第一ピン孔３６１と支持側第二ピン孔３６２をそれぞれ複数穿設する構成とすることができる。
後者の場合について、具体的に説明する。
表示装置本体１０の本体側対向面６２において、本体側第一円弧６４１上に、本体側ピン孔である本体側第一ピン孔６５１を、一つのみ穿設する。また、その本体側対向面６２において、本体側第二円弧６４２上に、本体側ピン孔である本体側第二ピン孔６５２を、一つのみ穿設する。
一方、支持部材３０の支持側連結部３２において、支持側第一円弧３５１上に、支持側ピン孔である支持側第一ピン孔３６１を複数（例えば、五つ）穿設する。また、その支持側連結部３２において、支持側第二円弧３５２上に、支持側ピン孔である支持側第二ピン孔３６２を複数（例えば、五つ）穿設する。
【００５３】
ここで、複数の支持側第一ピン孔３６１の間隔は、等間隔とする。すなわち、それら支持側第一ピン孔３６１である円形の貫通孔のそれぞれの中心軸と軸部３４の中心軸とを結んだ線を第三中心線である外孔中心線としたときに、これら外孔中心線の各間の角度である外側孔間角度θａは、いずれも同じ角度（例えば、１０°）とする。
また、複数の支持側第二ピン孔３６２の間隔は、等間隔とする。すなわち、それら支持側第二ピン孔３６２である円形の貫通孔のそれぞれの中心軸と軸部３４の中心軸とを結んだ線を第四中心線である内孔中心線としたときに、これら内孔中心線の各間の角度である内側孔間角度θｂは、いずれも同じ角度（例えば、１０°）とする。
さらに、第三中心線である外孔中心線と第四中心線である内孔中心線が、軸部３４の中心軸を中心として所定の角度θｃ（例えば、３°）だけずれるように、複数の支持側第一ピン孔３６１と複数の支持側第二ピン孔３６２のそれぞれの穿設位置を特定して穿設する。
これに対し、表示装置本体１０においては、第一中心線である外孔中心線６６１と第二中心線である内孔中心線６６２が、同一線上に位置しているか、あるいは、回動用貫通孔６３の中心軸を中心として上記所定の角度θｃとは異なる角度だけずれているようにする。
【００５４】
このような構成とすることにより、表示装置本体１０の回動用貫通孔６３に挿入された支持部材３０の軸部３４の中心軸を中心として表示装置本体１０を回動させて、複数の支持側第一ピン孔３６１のうちのいずれか一つと本体側第一ピン孔６５１とを重ね合わせ、ここにロックピン５０を挿入することで、外側孔間角度θａを最小単位として、表示装置本体１０の傾斜角度を調節することができる。
また、表示装置本体１０を回動させて、複数の支持側第二ピン孔３６２のうちのいずれか一つと本体側第二ピン孔６５２とを重ね合わせ、ここにロックピン５０を挿入することで、外側孔間角度θａから角度θｃだけずれた角度で、表示装置本体１０の傾斜角度を微調節することができる。
【００５５】
さらに、本実施形態においては、表示装置本体１０の本体側連結部６０に引かれる円弧の数を二つ（本体側第一円弧６４１、本体側第二円弧６４２）とし、支持部材３０の支持側連結部３２に引かれる円弧の数を二つ（支持側第一円弧５３１、支持側第二円弧５３２）としたが、円弧の数は、それぞれ二つずつに限るものではなく、それぞれ三つ以上引くことができる。
このように円弧の数を三つ以上とする場合、表示装置本体１０の本体側連結部６０に引かれる三つ以上の円弧の径をそれぞれ異なる径とし、これら三つ以上の円弧上のそれぞれにピン挿通孔６５を穿設する。また、支持部材３０の支持側連結部３２に引かれる三つ以上の円弧の径をそれぞれ異なる径とし、これら三つ以上の円弧上のそれぞれにピン挿通孔３６を穿設する。ただし、表示装置本体１０の本体側連結部６０に引かれる円弧の数と、支持部材３０の支持側連結部３２に引かれる円弧の数は、同数とする。そして、表示装置本体１０の本体側連結部６０に引かれる三つ以上の円弧の径（例えば、円弧ａ１、ａ２、ａ３のそれぞれの径）と、支持部材３０の支持側連結部３２に引かれる三つ以上の円弧の径（例えば、円弧ｂ１、ｂ２、ｂ３のそれぞれの径）は、対応する円弧同士の径（例えば、円弧ａ１の径と円弧ｂ１の径、ａ２の径とｂ２の径、ａ３の径とｂ３の径）を同じ長さとする。しかも、表示装置本体１０の本体側連結部６０においては、三つ以上の円弧上のそれぞれに穿設されたピン挿通孔６５の中心と回動用貫通孔６３の中心軸とを結ぶ中心線がいずれも直線上に重ならないようにする。
このような構成において、それら中心線の各間の角度をより小さい角度で設定することにより、表示装置本体１０の傾斜角度を、それら小さい角度を単位として微調節することができる。
【００５６】
［角度調節部の第二実施形態］
次に、角度調節部の第二実施形態について、図１１を参照して説明する。
本実施形態の角度調節部は、第一実施形態の角度調節部と同様、対象面に対する表示装置本体１０の傾斜角度を調節及び微調節可能な構成を備えたものであるが、第一実施形態との相違点は、支持部材３０の支持側連結部３２に支持側第一ピン孔３６１が複数穿設されており、これら複数の支持側第一ピン孔３６１の間隔が、表示装置本体１０における本体側第一ピン孔６５１の間隔と異なっている点にある。
この点について、以下説明する。
【００５７】
本実施形態における表示装置本体１０の構成は、第一実施形態における表示装置本体１０の構成とほぼ同じであり、本体側連結部６０の本体側対向面６２において、回動用貫通孔６３の中心軸を中心とする本体側第一円弧６４１上に、本体側第一ピン孔６５１が、所定の領域内に等間隔で複数穿設されている。
なお、本実施形態においては、その本体側第一ピン孔６５１の数を五つとする。
また、これら五つの本体側第一ピン孔６５１の各間の角度を示す外側孔間角度θ１１を、１０°とする（図３参照）。
さらに、それら五つの本体側第一ピン孔６５１のうち、最も下方に位置する本体側第一ピン孔６５１をピン孔ａ１１とし、最も上方に位置する本体側第一ピン孔６５１をピン孔ａ１５とする。
そして、本実施形態の表示装置本体１０においては、本体側第二ピン孔が穿設されていないものとする。
【００５８】
支持部材３０の支持側連結部３２には、図１１に示すように、軸部３４の中心軸を中心とする支持側第一円弧３５１上に、複数のピン挿通孔３６が、支持側第一ピン孔３６１として、所定の領域内に複数穿設されている。
また、これら複数の支持側第一ピン孔３６１の各間の角度を示す支持側孔間角度θ２（θ２１、θ２２）は、表示装置本体１０における外側孔間角度θ１１と異なっている。
【００５９】
具体的に、本実施形態においては、支持側第一ピン孔３６１が三つ穿設されており、最も下方に穿設されている支持側第一ピン孔３６１をピン孔ｂ１とし、その上方に穿設されている支持側第一ピン孔３６１をピン孔ｂ２とし、最も上方に穿設されている支持側第一ピン孔３６１をピン孔ｂ３とする。
また、軸部３４の中心軸とピン孔ｂ１の中心とを結んだ線を支持側第一中心線３７１とし、軸部３４の中心軸とピン孔ｂ２の中心とを結んだ線を支持側第二中心線３７２としたときに、これら支持側第一中心線３７１と支持側第二中心線３７２との間における支持側孔間角度をθ２１とする。
さらに、軸部３４の中心軸とピン孔ｂ３の中心とを結んだ線を支持側第三中心線３７３としたときに、支持側第二中心線３７２と支持側第三中心線３７３との間における支持側孔間角度をθ２２とする。
このとき、これら支持側孔間角度θ２１、θ２２は、表示装置本体１０における外側孔間角度θ１１の整数倍の角度とは異なった角度となっている。具体的に、図３に示した外側孔間角度θ１１は、１０°であり、この整数倍は、１０°、２０°、３０°・・・であるのに対し、支持側孔間角度θ２１と支持側孔間角度θ２２は、図１１においては、いずれも１７°となっている。
【００６０】
さらに、これら複数の支持側第一ピン孔３６１が穿設される支持側第一円弧３５１の半径ｒ２１は、表示装置本体１０の本体側連結部６０において複数の本体側第一ピン孔６５１が穿設される本体側第一円弧６４１の半径ｒ１１と同一となっている。
【００６１】
このような構成を備えることにより、本実施形態の遊技機用表示装置１は、対象面に対する表示装置本体１０の傾斜角度を調節及び微調節可能となっている。
具体的な調節方法について、説明する。
遊技機用表示装置１を水平面上に載置固定した場合において、表示装置本体１０の仮想基準線が水平となっているとき、支持部材３０の支持側第一ピン孔３６１のピン孔ｂ１と表示装置本体１０のピン孔ａ１１が丁度重なり合って連通した状態となる。これら重なり合って連通しているピン孔ｂ１とピン孔ａ１１にロックピン５０を挿入することで、表示装置本体１０は、仮想基準線が水平となっている状態で位置決めされて固定される。
【００６２】
この状態において、支持部材３０におけるピン孔ｂ２と表示装置本体１０のピン孔ａ１３とを見てみると、ピン孔ｂ２は、ピン孔ａ１３よりも角度にして３°下方にずれた箇所に位置している。これは、表示装置本体１０の本体側第一ピン孔６５１における外側孔間角度θ１１が１０°となっており、ピン孔ａ１１とピン孔ａ１３との間の角度が２０°となっているのに対し、支持部材３０におけるピン孔ｂ１とピン孔ｂ２との間の支持側孔間角度θ２１が１７°となっており、表示装置本体１０におけるピン孔ａ１１とピン孔ａ１３との間の角度と比較して、３°の差があるためである。
また、支持部材３０におけるピン孔ｂ３は、表示装置本体１０のピン孔ａ１５よりも角度にして６°下方にずれた箇所に位置している。これは、表示装置本体１０におけるピン孔ａ１１とピン孔ａ１５との間の角度が４０°となっているのに対し、支持部材３０におけるピン孔ｂ１とピン孔ｂ２との間の支持側孔間角度θ２１と、ピン孔ｂ２とピン孔ｂ３との間の支持側孔間角度θ２２がいずれも１７°となっており、ピン孔ｂ１とピン孔ｂ３との間の角度が３４°となっているため、表示装置本体１０におけるピン孔ａ１１とピン孔ａ１５との間の角度と比較して、６°の差があるためである。
よって、支持部材３０のピン孔ｂ２と表示装置本体１０のピン孔ａ１３とは完全には一致しておらず、かつ、支持部材３０のピン孔ｂ３と表示装置本体１０のピン孔ａ１５とは完全には一致していないことから、これらピン孔ｂ２とピン孔ｂ３には、ロックピン５０を挿入することができないようになっている。
【００６３】
次に、支持部材３０のピン孔ｂ１と表示装置本体１０のピン孔ａ１１に挿入されていたロックピン５０を取り外し、表示装置本体１０の回動用貫通孔６３及びこの回動用貫通孔６３に挿入されている支持部材３０の軸部３４の中心軸を中心として、表示装置本体１０を回動させる。このとき、表示装置本体１０の先端部（この表示装置本体１０のうち、本体側連結部６０を有する側の端部とは反対側の端部）が上方へ持ち上がる方向に回動させる。
ここで、例えば、その表示装置本体１０を角度にして３°だけ上方へ回動させるようにして持ち上げると、図１２に示すように、当該表示装置本体１０のピン孔ａ１３と支持部材３０のピン孔ｂ２が丁度重なり合って連通する。これらピン孔ａ１３及びピン孔ｂ２にロックピン５０を挿入することで、当該表示装置本体１０を水平から３°上方に傾斜した状態で固定させることができる。
【００６４】
続いて、そのロックピン５０を取り外し、表示装置本体１０を角度にして水平から６°だけ上方へ回動させるようにして持ち上げると、図１３に示すように、当該表示装置本体１０のピン孔ａ１５と支持部材３０のピン孔ｂ３が丁度重なり合って連通する。これらピン孔ａ１５及びピン孔ｂ３にロックピン５０を挿入することで、当該表示装置本体１０を水平から６°上方に傾斜した状態で固定させることができる。
さらに、そのロックピン５０を取り外し、表示装置本体１０を角度にして水平から１０°だけ上方へ回動させるようにして持ち上げると、当該表示装置本体１０のピン孔ａ１２と支持部材３０のピン孔ｂ１が丁度重なり合って連通する。これらピン孔ａ１２及びピン孔ｂ１にロックピン５０を挿入することで、当該表示装置本体１０を水平から１０°上方に傾斜した状態で固定させることができる。
【００６５】
このように、本実施形態の遊技機用表示装置１は、表示装置本体１０を水平から３°、６°、１０°だけ上方へ傾斜した角度で固定することができる。
また、表示装置本体１０の傾斜角度は、これら０°、３°、６°、１０°に限るものではなく、次の角度に調節可能となっている。
例えば、支持部材３０のピン孔ｂ１は、表示装置本体１０の本体側第一ピン孔６５１におけるピン孔ａ１１〜ａ１５に一致可能となっており、これらピン孔ａ１１〜ａ１５に一致したときの表示装置本体１０の傾斜角度は、水平に対して、０°、１０°、２０°、３０°、４０°となる。
また、支持部材３０のピン孔ｂ２は、表示装置本体１０の本体側第一ピン孔６５１におけるピン孔ａ１３〜ａ１５に一致可能となっており、これらピン孔ａ１３〜ａ１５に一致したときの表示装置本体１０の傾斜角度は、水平に対して、３°、１３°、２３°となる。
さらに、支持部材３０のピン孔ｂ３は、表示装置本体１０の本体側第一ピン孔６５１におけるピン孔ａ１５に一致可能となっており、このピン孔ａ１５に一致したときの表示装置本体１０の傾斜角度は、水平に対して、６°となる。
よって、表示装置本体１０の傾斜角度は、水平に対して、０°、３°、６°、１０°、１３°、２０°、２３°、３０°、４０°に調節及び微調節可能となっている。
【００６６】
以上説明した構成を備えることにより、本実施形態の遊技機用表示装置１は、表示装置本体１０の傾斜角度を所望の角度に調節又は微調節できる。
特に、当該遊技機用表示装置１は、支持部材３０に穿設された複数の支持側第一ピン孔３６１のうちの一つ（例えば、ピン孔ｂ１）を基準孔とし、表示装置本体１０を回動させながら、その基準孔と表示装置本体１０の本体側第一ピン孔６５１とを連通させ、この連通した基準孔と本体側第一ピン孔６５１にロックピン５０を挿入することにより、その表示装置本体１０の傾斜角度を調節することができる。
また、基準孔以外の支持側第一ピン孔３６１と本体側第一ピン孔６５１とを連通させ、この連通した基準孔と本体側第一ピン孔６５１にロックピン５０を挿入することにより、基準孔を用いた場合と異なる角度で、表示装置本体１０の傾斜角度を微調節することができる。
【００６７】
なお、図１１においては、支持側孔間角度θ２１とθ２２を、いずれも１７°としたが、１７°に限るものではなく、任意の角度に設定することができる。例えば、θ２１を１５°とし、θ２２を１３°とすることで、１７°のときとは、違った角度で、表示装置本体１０の傾斜角度を微調節することができる。
【００６８】
［角度調節部の第三実施形態］
次に、角度調節部の第三実施形態について、図１４を参照して説明する。
本実施形態の角度調節部は、第一実施形態の角度調節部と同様、対象面に対する表示装置本体１０の傾斜角度を調節及び微調節可能な構成を備えたものであるが、第一実施形態との相違点は、表示装置本体１０の本体側連結部６０に穿設された複数のピン挿通孔６５が、隣同士接触し、又は重なり合って、それら複数のピン挿通孔６５の内部空間が連通しあった状態に形成されている点にある。
この点について、以下説明する。
【００６９】
本実施形態における表示装置本体１０の構成は、図１４に示すように、本体側連結部６０の本体側対向面６２において、回動用貫通孔６３の中心軸を中心とする本体側第一円弧６４１上に、貫通孔であるピン挿通孔６５が、本体側第一ピン孔６５１として、所定の領域内に等間隔で複数穿設されている。
そして、それら複数のピン挿通孔６５は、隣同士が接触し、又は重なり合っており、これら複数のピン挿通孔６５の内部空間が互いに連通しあった状態で形成されている
【００７０】
なお、本実施形態においては、その本体側第一ピン孔６５１の数を八つとする。
また、それら八つの本体側第一ピン孔６５１のうち、最も下方に位置する本体側第一ピン孔６５１をピン孔ａ１１とし、最も上方に位置する本体側第一ピン孔６５１をピン孔ａ１８とする。
さらに、それら八つの本体側第一ピン孔６５１のそれぞれの中心と回動用貫通孔６３の中心軸とを結んだ線を外孔中心線６６１とし、これら外孔中心線６６１の各間の角度である本体側孔間角度θ３を、６°とする（図３参照）。
そして、表示装置本体１０の本体側連結部６０には、本体側第二ピン孔は、穿設されていないものとする。
【００７１】
支持部材３０においては、第一実施形態における支持部材３０と同様、支持側連結部３２における軸部３４の中心軸を中心とする支持側第一円弧３５１上に、支持側第一ピン孔３６１が、一つのみ穿設されている（図４参照）。
また、支持側第一ピン孔３６１が穿設される支持側第一円弧３５１の半径ｒ２１と、表示装置本体１０の本体側第一ピン孔６５１が穿設される本体側第一円弧６４１の半径ｒ１１とは、同じ長さとなっている。
なお、支持部材３０の支持側連結部３２には、支持側第二ピン孔は、穿設されていないものとする。
【００７２】
このような構成を備えることにより、本実施形態の遊技機用表示装置１は、対象面に対する表示装置本体１０の傾斜角度を微調節可能となっている。
具体的な調節方法について、説明する。
遊技機用表示装置１を水平面上に載置固定した場合において、表示装置本体１０の仮想基準線が水平となっているとき、支持部材３０の支持側第一ピン孔３６１と表示装置本体１０のピン孔ａ１１が丁度重なり合って連通した状態となる。これら重なり合って連通している支持側第一ピン孔３６１とピン孔ａ１１にロックピン５０を挿入することで、表示装置本体１０は、仮想基準線が水平となっている状態で位置決めされて固定される。
【００７３】
次に、そのロックピン５０を取り外し、表示装置本体１０の回動用貫通孔６３及びこの回動用貫通孔６３に挿入されている支持部材３０の軸部３４の中心軸を中心として、表示装置本体１０を回動させる。このとき、表示装置本体１０の先端部（この表示装置本体１０のうち、本体側連結部６０を有する側の端部とは反対側の端部）が上方向へ持ち上がる方向に回動させる。
ここで、例えば、その表示装置本体１０を角度にして６°だけ上方へ回動させるようにして持ち上げると、当該表示装置本体１０のピン孔ａ１２と支持部材３０の支持側第一ピン孔３６１が丁度重なり合って連通する。これらピン孔ａ１２及び支持側第一ピン孔３６１にロックピン５０を挿入することで、当該表示装置本体１０を水平から６°上方に傾斜した状態で維持させることができる。
【００７４】
続いて、そのロックピン５０を取り外し、表示装置本体１０を角度にして水平から１２°だけ上方へ回動させるようにして持ち上げると、当該表示装置本体１０のピン孔ａ１３と支持部材３０の支持側第一ピン孔３６１が丁度重なり合って連通する。これらピン孔ａ１３及び支持側第一ピン孔３６１にロックピン５０を挿入することで、当該表示装置本体１０を水平から１２°上方に傾斜した状態で維持させることができる。
さらに、そのロックピン５０を取り外し、表示装置本体１０を角度にして水平から４２°だけ上方へ回動させるようにして持ち上げると、当該表示装置本体１０のピン孔ａ１８と支持部材３０の支持側第一ピン孔３６１が丁度重なり合って連通する。これらピン孔ａ１８及び支持側第一ピン孔３６１にロックピン５０を挿入することで、当該表示装置本体１０を水平から４２°上方に傾斜した状態で維持させることができる。
【００７５】
このように、本実施形態の遊技機用表示装置１は、表示装置本体１０に穿設される複数の本体側第一ピン孔６５１を隣同士重なり合って連通した状態で形成することにより、これら複数の本体側第一ピン孔６５１の間隔を小さくしてある。これにより、対象面に対する表示装置本体１０の傾斜角度を、それら複数の本体側第一ピン孔６５１の間隔を最小間隔として、微調節することができる。
【００７６】
また、本実施形態における複数の本体側第一ピン孔６５１と第一実施形態における複数の本体側第一ピン孔６５１とを比較した場合、後者は、それら複数の本体側第一ピン孔６５１が連通しないことが条件となるため、それらの間隔に制限があるのに対し、前者は、それらの間隔に制限がない。よって、前者の場合は、その制限を気にすることなく、所望の間隔を設定することができ、この所望の間隔を最小単位として表示装置本体１０の傾斜角度を微調節することができる。
【００７７】
さらに、連通している複数の本体側第一ピン孔６５１を連続ピン孔と称したときに、この連続ピン孔の側面には、内部空間に向かう山形の凸部が複数の本体側第一ピン孔６５１の各間に形成される。この連続ピン孔にロックピン５０を挿入した場合、このロックピン５０は、それら山形凸部の各間に挿入され、その山形凸部に当接することにより、隣の本体側第一ピン孔６５１への移動が制限されて、挿入された本体側第一ピン孔６５１に保持される。
【００７８】
なお、表示装置本体１０は、前述したように、自重により下方へ下がろうとする傾向にある。また、この表示装置本体１０の自重を支持するために、ロックピン５０には、比較的直径の太いものが使用される。さらに、表示装置本体１０の自重は、ロックピン５０が挿入される支持側第一ピン孔３６１と本体側第一ピン孔６５１にも加重される。このため、連通状態で形成される本体側第一ピン孔６５１の周囲は、肉厚に形成するのが望ましい。
【００７９】
また、図１４においては、複数の本体側第一ピン孔６５１が連通状態にある構造を示しているが、例えば、図３に示すように、表示装置本体１０の本体側対向面６２に本体側第一ピン孔６５１と本体側第二ピン孔６５２がそれぞれ複数穿設されている場合には、これら本体側第一ピン孔６５１と本体側第二ピン孔６５２の一方又は両方について、隣同士、連通した形状に穿設することができる。
さらに、支持部材３０の支持側連結部３２において、支持側第一ピン孔３６１が複数穿設されている場合、この支持側第一ピン孔３６１についても、隣同士、連通した形状に穿設することができる。
そして、支持部材３０の支持側連結部３２において、支持側第一ピン孔３６１とともに支持側第二ピン孔３６２が複数穿設されている場合、この支持側第二ピン孔３６２についても、隣同士、連通した形状に穿設することができる。
【００８０】
［角度調節部の第四実施形態］
次に、角度調節部の第四実施形態について、図１５〜図２０を参照して説明する。
本実施形態の角度調節部は、第一実施形態の角度調節部と同様、対象面に対する表示装置本体１０の傾斜角度を調節及び微調節可能な構成を備えたものであるが、第一実施形態との相違点は、ロックピン５０の棒状部５２の中心軸が頭部５１の中心から偏心している点にあり、このロックピン５０を表示装置本体１０の本体側第一ピン孔６５１に挿入したときに、そのロックピン５０にて偏心している距離分だけ表示装置本体１０を回動させることにより、この表示装置本体１０の傾斜角度を微調節可能としている点にある。
この点について、以下説明する。
【００８１】
ロックピン５０は、図１５に示すように、矩形板状の頭部５１と、この頭部５１である矩形板状の一の面から突出した棒状部５２とを有して形成されている。
頭部５１において棒状部５２が突出している面の中心をＰ１とし、棒状部５２において頭部５１に接合している面の中心をＰ２とすると、これらＰ１とＰ２は、一致しておらず、所定の長さｄだけずれている。
Ｐ１に対してＰ２がずれる方向、すなわち、頭部５１の中心に対して棒状部５２の中心軸が偏心している方向は、矩形板状の頭部５１における一の辺に平行した方向となっている。
なお、図１５に示すロックピン５０においては、棒状部５２が頭部５１に対して下方に偏心しており、この偏心している方向は、頭部５１の側辺に平行した方向となっている。
また、図１５においては、Ｐ１とＰ２との距離ｄが３［ｍｍ］となっている。
【００８２】
このような形状に形成されたロックピン５０は、第一実施形態〜第三実施形態のロックピン５０と同様、支持部材３０のピン挿通孔３６と表示装置本体１０のピン挿通孔６５に挿入される。次に、これら支持部材３０と表示装置本体１０の構成について説明する。
【００８３】
支持部材３０の支持側連結部３２には、図１６に示すように、軸部３４の中心軸を中心とする支持側第一円弧３５１上に、貫通孔であるピン挿通孔３６が、支持側第一ピン孔３６１として、板状である支持側連結部３２の厚さ方向に、一つのみ穿設されている。
その支持部材３０の支持側第一ピン孔３６１は、ロックピン５０の頭部５１が嵌合可能となるように、頭部５１の形状と同一又は近似の形状（本実施形態においては、矩形状）に形成されている。
また、その支持側第一ピン孔３６１は、当該矩形状の一辺が、支持側第一円弧３５１の接線であって当該支持側第一ピン孔３６１の中心に接する接線に対して平行となるように形成されている。
なお、本実施形態の支持部材３０においては、支持側第二ピン孔が穿設されていないものとする。
【００８４】
表示装置本体１０の構成は、第一実施形態における表示装置本体１０の構成とほぼ同じであり、本体側連結部６０の本体側対向面６２において、回動用貫通孔６３の中心軸を中心とする本体側第一円弧６４１上に、本体側第一ピン孔６５１が、所定の領域内に等間隔で複数穿設されている。
なお、本実施形態においては、その本体側第一ピン孔６５１の数を五つとする。
また、これら五つの本体側第一ピン孔６５１の各間の角度を示す外側孔間角度θ１１を、１０°とする（図３参照）。
さらに、それら五つの本体側第一ピン孔６５１のうち、最も下方に位置する本体側第一ピン孔６５１をピン孔ａ１１とし、最も上方に位置する本体側第一ピン孔６５１をピン孔ａ１５とする。
そして、本実施形態の表示装置本体１０においては、本体側第二ピン孔が穿設されていないものとする。
【００８５】
このような構成を備えた本実施形態の遊技機用表示装置１においては、支持部材３０の支持側第一ピン孔３６１に対してロックピン５０を挿入する向きを変えることにより、表示装置本体１０の傾斜角度を微調節することができる。
具体例をもって説明する。
例えば、表示装置本体１０の回動用貫通孔６３の中心軸を中心として当該表示装置本体１０の先端を上方へ持ち上げる方向に回動させた場合において、この表示装置本体１０の本体側第一ピン孔６５１のピン孔ａ１２と支持部材３０の支持側第一ピン孔３６１が重なり合ったときに、この回動を停止する。
次いで、それら重なり合った表示装置本体１０のピン孔ａ１２と支持部材３０の支持側第一ピン孔３６１にロックピン５０を挿入する。このとき、このロックピン５０の棒状部５２の中心軸が頭部５１の中心よりも下方に偏心した向きで、このロックピン５０をそれらピン孔ａ１２と支持側第一ピン孔３６１に挿入する。そうすると、表示装置本体１０のピン孔ａ１２の中心は、支持部材３０の支持側第一ピン孔３６１の中心よりも、ロックピン５０の偏心距離ｄの分だけ下方に下がる。
この状態を図１７、図１８に示す。図１７は、そのロックピン５０を支持部材３０の支持側第一ピン孔３６１と表示装置本体１０のピン孔ａ１２に挿入したときにおいて表示装置本体１０が傾斜している状態を示す遊技機用表示装置１の正面図である。また、図１８は、図１７に示した遊技機用表示装置１のＡ−Ａ断面拡大図である。特に、この図１８は、支持部材３０の支持側第一ピン孔３６１と表示装置本体１０のピン孔ａ１２に挿入されたロックピン５０とその周辺の断面を示すとともに、棒状部５２の中心軸が頭部５１の中心に対して偏心していないロックピン５０を支持側第一ピン孔３６１及びピン孔ａ１２に挿入した場合の当該ロックピン５０の輪郭を点線で示した図である。
【００８６】
図１８に示すように、棒状部５２の中心軸が頭部５１の中心に対して下方に偏心したロックピン５０を支持側第一ピン孔３６１及びピン孔ａ１２に挿入した場合における当該ピン孔ａ１２の位置は、偏心していないロックピン５０を挿入した場合におけるピン孔ａ１２の位置に比べて、偏心したロックピン５０の偏心距離ｄ（同図においては、３ｍｍ）の分だけ下方に下がっている。
そして、このピン孔ａ１２の下降にともなって、表示装置本体１０は、回動用貫通孔６３の中心軸を中心として回動して、その先端が上方へ持ち上がり、図１７に示すように、当該表示装置本体１０の仮想基準線が水平から所定の角度（図１７においては、約１３°）上方へ傾斜した状態となる。
【００８７】
なお、図１７に示した約１３°という角度は、次の計算により算出される。
表示装置本体１０の本体側第一ピン孔６５１における外側孔間角度θ１１を、１０°とする。この場合において、表示装置本体１０のピン孔ａ１２の中心と支持部材３０の支持側第一ピン孔３６１の中心が重なり合っているとき、表示装置本体１０の傾斜角度は、外側孔間角度θ１１と同じ１０°となる。
次に、棒状部５２の中心軸が頭部５１の中心よりも下方に偏心した状態のロックピン５０を支持側第一ピン孔３６１及びピン孔ａ１２に挿入すると、支持側第一ピン孔３６１の中心に対してピン孔ａ１２の中心が、偏心距離ｄと同じ３ｍｍだけ下方へ下がる。
そして、このようにピン孔ａ１２が下方へ下がることにより、この表示装置本体１０は、回動用貫通孔６３の中心軸を中心として回動し、当該表示装置本体１０の先端が上方へ持ち上がり、仮想基準線がその持ち上がった分だけ傾斜する。
このように、ピン孔ａ１２が偏心距離ｄだけ下降することにともなって仮想基準線が傾く角度は、次式を用いて算出できる。
仮想基準線が傾く角度θ＝〔ｔａｎ−１[｛（ピン孔ａ１２が下方へ下がる距離）／２｝／（ピン孔ａ１２が穿設された本体側第一円弧６４１の半径ｒ１１）]〕×２    ・・・（式１）
ここで、（ピン孔ａ１２が穿設された本体側第一円弧６４１の半径ｒ１１）を５８ｍｍとすると、仮想基準線が傾く角度θは、θ＝２．９６２９１４３４・・・[°]、すなわち、約３°となる。
この約３°に、前述した１０°を加算することにより、水平に対する表示装置本体１０の仮想基準線の角度を、約１３°として算出することができる。
【００８８】
以上が、棒状部５２の中心軸が頭部５１の中心よりも下方に偏心した状態のロックピン５０を支持側第一ピン孔３６１及びピン孔ａ１２に挿入した場合における表示装置本体１０の傾斜角度の調節手法についての説明であるが、それら支持側第一ピン孔３６１及びピン孔ａ１２に対しては、棒状部５２の中心軸が頭部５１の中心よりも上方に偏心した状態のロックピン５０を挿入することもできる。この場合における表示装置本体１０の傾斜角度の調節手法について、次に説明する。
棒状部５２の中心軸が頭部５１の中心よりも上方に偏心した状態のロックピン５０を支持側第一ピン孔３６１及びピン孔ａ１２に挿入した場合には、次のようになる。
この場合、表示装置本体１０のピン孔ａ１２の中心は、支持部材３０の支持側第一ピン孔３６１の中心よりも、ロックピン５０の偏心距離ｄの分だけ上方に上がる。
この状態を図１９、図２０に示す。図１９は、そのロックピン５０を支持部材３０の支持側第一ピン孔３６１と表示装置本体１０のピン孔ａ１２に挿入したときにおいて表示装置本体１０が傾斜している状態を示す遊技機用表示装置１の正面図である。また、図２０は、図１９に示した遊技機用表示装置１のＢ−Ｂ断面拡大図である。特に、この図２０は、支持部材３０の支持側第一ピン孔３６１と表示装置本体１０のピン孔ａ１２に挿入されたロックピン５０とその周辺の断面を示すとともに、棒状部５２の中心軸が頭部５１の中心に対して偏心していないロックピン５０を支持側第一ピン孔３６１及びピン孔ａ１２に挿入した場合の当該ロックピン５０の輪郭を点線で示した図である。
【００８９】
図２０図に示すように、棒状部５２の中心軸が頭部５１の中心に対して上方に偏心したロックピン５０を支持側第一ピン孔３６１及びピン孔ａ１２に挿入した場合における当該ピン孔ａ１２の位置は、偏心していないロックピン５０を挿入した場合におけるピン孔ａ１２の位置に比べて、偏心したロックピン５０の偏心距離ｄ（同図においては、３ｍｍ）の分だけ上方に上がっている。
そして、このピン孔ａ１２の上昇にともなって、表示装置本体１０は、回動用貫通孔６３の中心軸を中心として回動して、その先端が下方へ下がり、図１９に示すように、当該表示装置本体１０の仮想基準線が水平から所定の角度（図１９においては、約７°）上方へ傾斜した状態となる。
【００９０】
なお、図１９に示した約７°という角度は、次の計算により算出される。
表示装置本体１０の本体側第一ピン孔６５１における外側孔間角度θ１１を、１０°とした場合において、表示装置本体１０のピン孔ａ１２の中心と支持部材３０の支持側第一ピン孔３６１の中心が一致しているとき、表示装置本体１０の傾斜角度は、外側孔間角度θ１１と同じ１０°となる。
次に、棒状部５２の中心軸が頭部５１の中心よりも上方に偏心した状態のロックピン５０を支持側第一ピン孔３６１及びピン孔ａ１２に挿入すると、支持側第一ピン孔３６１の中心に対してピン孔ａ１２の中心が、偏心距離ｄと同じ３ｍｍだけ上方へ上がる。
そして、このようにピン孔ａ１２が上方へ上がることにより、この表示装置本体１０は、回動用貫通孔６３の中心軸を中心として回動し、当該表示装置本体１０の先端が下方へ下がり、仮想基準線がその下がった方向に傾斜する。
このように、ピン孔ａ１２が偏心距離ｄだけ上昇することにともなって仮想基準線が傾く角度は、式１より、約３°である。よって、この約３°前述した１０°から減算することにより、水平に対する表示装置本体１０の仮想基準線の傾斜角度を、約７°として算出することができる。
【００９１】
このように、本実施形態の遊技機用表示装置１においては、支持側第一ピン孔３６１及びピン孔ａ１２に挿入するロックピン５０の向きを変えることにより、表示装置本体１０の仮想基準線を水平から１３°又は７°だけ上方へ傾斜した角度に調節することができる。
また、調節する表示装置本体１０の傾斜角度は、これら１３°又は７°に限るものではなく、次の角度に調節可能となっている。
例えば、棒状部５２の中心軸が頭部５１の中心よりも下方に偏心した状態のロックピン５０を支持側第一ピン孔３６１及び本体側第一ピン孔６５１に挿入する場合には、その挿入される本体側第一ピン孔６５１がピン孔ａ１１〜ａ１５のいずれであるかによって、表示装置本体１０の傾斜角度は、水平に対して、３°、１３°、２３°、３３°、４３°のいずれかに調節可能となる。
また、棒状部５２の中心軸が頭部５１の中心よりも上方に偏心した状態のロックピン５０を支持側第一ピン孔３６１及び本体側第一ピン孔６５１に挿入する場合には、その挿入される本体側第一ピン孔６５１がピン孔ａ１２〜ａ１５のいずれであるかによって、表示装置本体１０の傾斜角度は、水平に対して、７°、１７°、２７°、３７°のいずれかに調節可能となる。
よって、表示装置本体１０の傾斜角度は、水平に対して、３°、７°、１３°、１７°、２３°、２７°、３３°、３７°、４３°という細かい角度間隔で微調節可能となっている。
【００９２】
なお、棒状部５２の中心軸が頭部５１の中心よりも上方に偏心した状態のロックピン５０を支持側第一ピン孔３６１及び本体側第一ピン孔６５１のピン孔ａ１１に挿入しようとする場合には、表示装置本体１０の仮想基準線が水平から下方へ３°下がる方向へ傾斜することになるが、表示装置本体１０の仮想基準線が水平であるときは、図５に示すように、表示装置本体１０の下側回動制止部６７１と支持部材３０の下側回動制止部３８１が当接し、表示装置本体１０の傾斜角度が水平よりも下方へ下がるのを阻止しているため、当該ロックピン５０を支持側第一ピン孔３６１及び本体側第一ピン孔６５１のピン孔ａ１１に挿入することはできないようになっている。
【００９３】
以上説明した構成を備えることにより、本実施形態の遊技機用表示装置１は、支持部材３０の支持側第一ピン孔３６１に重ね合わせる表示装置本体１０の本体側第一ピン孔６５１を複数のピン孔ａ１１〜ａ１５のうちから選択するとともに、これら支持側第一ピン孔３６１と本体側第一ピン孔６５１に挿入されるロックピン５０の向きを変えることにより、表示装置本体１０の傾斜角度を調節又は微調節できる。
また、本実施形態の遊技機用表示装置１は、ロックピン５０を挿入する向きによって表示装置本体１０の傾斜角度を微調節するものであることから、ロックピン５０を偏心構造とするなど、簡単な構造でその微調節を実現できる。
さらに、本実施形態の遊技機用表示装置１は、ロックピン５０における棒状部５２の偏心距離ｄに応じて、表示装置本体１０の傾斜角度の最小調節角度を可変できることから、その偏心距離ｄを適宜変更したり、あるいは、偏心距離ｄの異なるロックピン５０を複数用意したりすることにより、表示装置本体１０の傾斜角度を所望の角度に調節できる。
【００９４】
しかも、本実施形態においては、表示装置本体１０に穿設される複数の本体側第一ピン孔６５１のそれぞれに対して調節可能な角度が二つずつあることから、それら本体側第一ピン孔６５１の数は、調節しようとする角度の数の半分でよい。このため、複数の本体側第一ピン孔６５１のそれぞれに対して調節可能な角度が一つずつである第一実施形態〜第三実施形態の遊技機用表示装置１に比べて、本体側第一ピン孔６５１の数を、少なくすることができ、孔加工の工数を減少させることができる。
【００９５】
なお、本実施形態の遊技機用表示装置１においては、支持部材３０の支持側第一ピン孔３６１に対してロックピン５０を挿入する向きを、頭部５１に対して棒状部５２が上方に偏心した向きと、頭部５１に対して棒状部５２が下方に偏心した向きの二つの向きとしているが、これら二つの向きに限るものではなく、例えば、棒状部５２の中心軸が頭部５１の中心から水平方向（右方向又は左方向）に偏心した向きとすることができる。ただし、このような向きでロックピン５０を支持部材３０の支持側第一ピン孔３６１に挿入する場合は、この支持側第一ピン孔３６１を、支持側中心線３７の線方向に延伸した長方形状に形成するか、あるいは、表示装置本体１０の本体側第一ピン孔６５１を、外孔中心線６６１の線方向に延伸した長孔に形成する。
【００９６】
また、本実施形態の遊技機用表示装置１においては、ロックピン５０の頭部５１を矩形状としたが、矩形状に限るものではなく、例えば、三角形、六角形、八角形などの多角形状、円形状、楕円形状など、任意の形状に形成することができる。この場合、支持部材３０に穿設される支持側第一ピン孔３６１の形状も、その頭部５１の形状と同一又は近似の形状に形成する。
さらに、ロックピン５０の頭部５１の形状を矩形状以外の形状とした場合、この頭部５１に対して棒状部５２が偏心する方向も、その頭部５１の形状に応じて適宜設定する。
【００９７】
また、本実施形態の遊技機用表示装置１においては、支持部材３０の支持側連結部３２が表示装置本体１０の本体側連結部６０の外側を覆う構造となっているため、ロックピン５０の頭部５１が、支持部材３０のピン挿通孔３６に嵌合するようになっている。
ただし、表示装置本体１０と支持部材３０との連結部分の構造は、例えば、支持部材３０の支持側連結部３２の外側を表示装置本体１０の本体側連結部６０が覆う構造とすることも可能である。この場合、ロックピン５０の頭部５１は、表示装置本体１０のピン挿通孔６５に嵌合する。このため、このピン挿通孔６５の形状をロックピン５０の頭部５１の形状と同一又は近似の形状に形成する。そして、そのピン挿通孔６５に対するロックピン５０の挿入方向を中心として当該ロックピン５０の向きを変えることで、ピン挿通孔６５の中心と当該ピン挿通孔６５に重なっている支持部材３０のピン挿通孔３６の中心とを偏心させて、表示装置本体１０の傾斜角度を可変することができる。
【００９８】
ここまで、遊技機用表示装置１における角度調節部の各実施形態について説明したが、遊技機用表示装置１は、角度調節部以外にも、種々の構成を備えている。
この遊技機用表示装置１が備える角度調節部以外の構成について、以下説明する。
【００９９】
［支持部材３０と取付基台２０との連結構造］
遊技機用表示装置１の支持部材３０は、取付基台２０に対して回動自在に連結されている。
このように、支持部材３０を取付基台２０に対して回動可能とした理由は、次の通りである。
表示装置本体１０は、回動用貫通孔６３の中心軸を中心として回動可能となっている。ただし、この表示装置本体１０の回動可能な範囲は、一定の範囲に制限されている。具体的に、その回動可能な範囲の下端は、表示装置本体１０の仮想基準線が水平であって、表示装置本体１０の下側回動制止部６７１と支持部材３０の下側回動制止部３８１が当接している場合である。一方、その回動可能な範囲の上端は、表示装置本体１０の上側回動制止部６７２と支持部材３０の上側回動制止部３８２が当接している場合である。そして、その表示装置本体１０の回動可能な角度は、本実施形態では約４０°となっており、この角度内で、表示装置本体１０の傾斜角度が調節される。
【０１００】
ところが、遊技機用表示装置１は、島台３の幕板４あるいは欄間５などに取り付けることが想定されているため、次のような状況が生じる可能性がある。
遊技機用表示装置１をそれら幕板４等に取り付ける場合、当該遊技機用表示装置１は、その先端が幕板４等から前方へ突き出すような状態で取り付けられる。このため、その取付位置によっては、遊技機１で遊技を行う遊技者の上方、あるいは、この遊技者の斜め上方に、遊技機用表示装置１が位置することがある。
この場合、遊技者が遊技を終了するなどして立ち上がったときに、誤ってその遊技機用表示装置１に頭を打ち付けてしまうことが考えられる。
そうすると、この遊技機用表示装置１の表示装置本体１０は、回動用貫通孔６３の中心軸を中心として上方へ回動しようとするが、ピン挿通孔３６、６５にロックピン５０が挿入されているために、その回動が制限される。
また、仮に遊技機用表示装置１の支持部材３０が回動不能となっているときは、遊技機用表示装置１が完全に島台３に固定された状態となっているため、遊技者は、頭を打ち付けたときの衝撃をまともに受けてしまい、大きな怪我を負ってしまうことが想定される。
そこで、本実施形態の遊技機用表示装置１においては、支持部材３０が取付基台２０に対して回動可能となっている。これにより、遊技者が仮に下方から頭を打ち付けたとしても、支持部材３０が回動軸３１を中心として上方に回動し、これに伴って表示装置本体１０も上方に持ち上がるため、接触時の衝撃が緩和される。よって、怪我の程度を最小限に抑えることができる。
【０１０１】
また、遊技者が受ける衝撃を緩和するために、ロックピン５０を樹脂製とし、当該ロックピン５０をいわゆるシェアピンとして使用するようにしてもよい。
このようにすれば、遊技者が頭を打ち付けたときに表示装置本体１０が上方へ持ち上がろうとする力がそのロックピン５０に加わり、樹脂製である当該ロックピン５０が破損することで、当該ロックピン５０による支持部材３０と表示装置本体１０との固定状態が解除されて、この表示装置本体１０が回動用貫通孔６３の中心軸を中心として回動可能となるので、その接触時の衝撃を緩和できる。
【０１０２】
なお、ロックピン５０は、頭部５１と棒状部５２とを有した形状で形成されており、支持部材３０のピン挿通孔３６と表示装置本体１０のピン挿通孔６５に挿入された状態では、その挿入方向とは反対の方向に容易に脱抜可能となっているが、支持部材３０の表面に装飾カバー４０が装着されることにより、頭部５１の上面がその装飾カバー４０に当接するので、それらピン挿通孔３６、６５からの脱離が抑制される。
【０１０３】
以上のように、本実施形態の遊技機用表示装置１は、表示装置本体１０と支持部材３０との連結部分に、表示装置本体１０の傾斜角度を調節するための角度調節機構を備えたことにより、対象面に対する遊技機用表示装置１の傾斜角度を調節及び微調節することができる。
また、このように表示装置本体１０の傾斜角度が調節可能なことから、遊技機島の島台３に取り付けられた複数の遊技機用表示装置１を、すべて同じ傾斜角度に統一することができる。これにより、それら複数の遊技機用表示装置１が同じ傾斜角度で並設されることから、島台３を島端から見たときに、その景観を良好なものとすることができる。
【０１０４】
さらに、島台３に取り付けられた複数の遊技機用表示装置１の傾斜角度を、任意に定めた規則性に従って一つ一つ調節することで、演出効果を高めることができる。例えば、一つの島台３において、複数の遊技機用表示装置１の傾斜角度を次第に上方に向くようにしたり、波形（うねり）を描くようにしたり、凹凸を繰り返すようにしたりするなどの規則性に従ってそれらの傾斜角度を調節することができる。また、遊技場においてイベントが行われる場合や推奨台を設ける場合には、対象となる遊技機２に対応して取り付けられた遊技機用表示装置１の傾斜角度を他の遊技機用表示装置１の傾斜角度と異なるようにしてアクセントを付けるような演出も可能となる。このように、遊技機用表示装置１の傾斜角度は、遊技場側の自由な発想により様々な態様で設計できることから、遊技場独自のデザインを自由に創作して演出効果を高めることができる。
【０１０５】
しかも、表示装置本体１０の傾斜角度を調節しても、装飾カバー４０に描かれた図柄の向きは変化しないので、複数の遊技機用表示装置１のそれぞれに描かれた図柄のデザインバランスを島台３の全体で均整化させることができる。
さらに、本実施形態の遊技機用表示装置１は、対象面に対して取付基台２０が固定された状態で、遊技場の店員が表示装置本体１０を持ち上げながら傾斜角度を調節し、所望の角度に到達した時点で、支持部材３０及び表示装置本体１０のピン挿通孔３６、６５にロックピン５０を挿入することで、表示装置本体１０の傾斜角度が位置決めされて固定されることから、遊技機用表示装置１を島台３に取り付けるときだけでなく、取り付けた後においても、当該遊技機用表示装置１の傾斜角度を自由に調節できる。
【０１０６】
また、遊技機用表示装置１においては、表示装置本体１０を回動させたときに、二つの部材により挟み込まれる空間がほとんど存在しないため、例えば、遊技ホールの店員が当該遊技機用表示装置１を島台３に取り付ける際に、指を挟むなどの危険な状態が発生しない極めて安全な構造となっている。
さらに、表示装置本体１０の角度調節がロックピン５０の挿入だけで済むため、その調節作業が容易かつ簡便である。
【０１０７】
以上、本発明の遊技機用表示装置の好ましい実施形態について説明したが、本発明に係る遊技機用表示装置は上述した実施形態にのみ限定されるものではなく、本発明の範囲で種々の変更実施が可能であることは言うまでもない。
例えば、上述した実施形態では、表示装置本体１０の仮想基準線が水平となった状態を当該表示装置本体１０の回動範囲の下端としたが、この回動範囲の下端は、表示装置本体１０の仮想基準線が水平となった状態に限定されるものではなく、例えば、その仮想基準線が水平よりも下方へ下がった状態を、その回動範囲の下端とすることができる。
この場合、表示装置本体１０の回動可能な範囲、すなわち、対象面に対する表示装置本体１０の傾斜角度の調節可能範囲は、水平よりも下方へ下がった状態から水平よりも上方へ上がった状態までとし、水平を含む範囲とすることができる。よって、表示装置本体１０の形状がどのような形状であっても、その表示装置本体１０を水平を含む所望の角度に調節でき、この調節した角度で当該表示装置本体１０を保持することができる。
【０１０８】
また、上述した実施形態においては、取付基台２０を載置固定する面である対象面が水平面であることを前提として説明したが、対象面は、水平面に限るものではなく、水平に対して傾斜した角度を有した面であってもよい。このような傾斜面に取付基台２０を載置固定した場合において、表示装置本体１０の先端部が当該表示装置本体１０における取付基台２０への接続側端部から下方に垂下した状態となったときであっても、上述したように、水平を含む調節可能範囲内で表示装置本体１０の角度を変移させることができる。よって、対象面の傾斜角度に左右されることなく、表示装置本体１０を所望の角度に調節でき、この調節した角度で当該表示装置本体１０を保持させることができる。
【０１０９】
さらに、上述した実施形態においては、取付基台２０と支持部材３０とをそれぞれ別個の部品とし、その取付基台２０の軸受２４に支持部材３０の回動軸３１を挿入することで、その取付基台２０に対して支持部材３０を回動可能に接続する構成としたが、この構成に限るものではなく、例えば、取付基台２０と支持部材３０とを一体形成して一つの部品とし、上述した取付基台２０の軸受２４と支持部材３０の回動軸３１とを省略した構成とすることもできる。この場合、この一体形成された部品においては、対象面に接触するとともにその対象面に当該部品を固定するためにネジが螺入される部分を形成し、この部分を取付基台２０に相当する部分として機能させ、また、表示装置本体１０に接続されるとともに、その表示装置本体１０を支持する部分を形成し、この部分を支持部材３０に相当する部分として機能させる。
【０１１０】
また、上述した実施形態においては、表示装置本体１０に回動用貫通孔６３を穿設し、支持部材３０に軸部３４を形成し、この軸部３４をその回動用貫通孔６３に挿入することで、この軸部３４の中心軸を中心として表示装置本体１０が回動可能となる構成としたが、これら表示装置本体１０と支持部材３０との接続部分は、そのような構成に限るものではなく、例えば、表示装置本体１０に軸部を形成し、支持部材３０に回動用貫通孔を穿設し、この回動用貫通孔に表示装置本体１０の軸部を挿入することで、この軸部の中心軸を中心として表示装置本体１０を回動可能とする構成とすることもできる。
ただし、後者の場合、表示装置本体１０においては、軸部の中心軸を中心とする円弧上に本体側ピン孔を穿設し、支持部材３０においては、回動用貫通孔の中心軸を中心とする円弧上に支持側ピン孔を穿設する。そして、軸部の中心軸を中心として表示装置本体１０を回動させながら当該表示装置本体１０の傾斜角度を調節し、調節後の状態で重なり合った表示装置本体１０の本体側ピン孔と支持部材３０の支持側ピン孔にロックピン５０を挿入することで、当該表示装置本体１０をその傾斜角度で位置決めして、固定させることができる。
【０１１１】
さらに、上述した実施形態においては、表示装置本体１０に穿設される回動用貫通孔６３を、当該表示装置本体１０の筐体１２における第一側面１４から第二側面１５に向かって貫通する貫通孔としたが、その孔６３は、貫通孔に限るものではなく、底部を有する有底孔であってもよい。この有底孔を回動用の孔として表示装置本体１０に穿設した場合、この有底孔に支持部材３０の軸部３４を挿入することで、この軸部３４の中心軸を中心として表示装置本体１０が回動可能となる。
【０１１２】
また、角度調節部については、第一実施形態から第四実施形態まで、四つの実施形態に分け、それぞれ具体的な構成について説明したが、これら第一〜第四実施形態のそれぞれにおける角度調節部は、任意に組み合わせることができる。
例えば、第二実施形態における角度調節部を第一実施形態に適用できる。具体的には、支持部材３０の支持側連結部３２において支持側第一円弧３５１上に支持側第一ピン孔３６１を複数穿設し、表示装置本体１０の本体側連結部６０において本体側第一円弧６４１上に本体側第一ピン孔６５１を複数穿設し、複数の支持側第一ピン孔３６１の間隔と複数の本体側第一ピン孔６５１の間隔とを異ならせるようにする。これにより、表示装置本体１０の傾斜角度の微調節が可能となる。
【産業上の利用可能性】
【０１１３】
本発明は、遊技機の近傍に設けられ、遊技に関する所定の情報を表示する表示装置に利用可能である。
【符号の説明】
【０１１４】
１  遊技機用表示装置
１０  表示装置本体
６０  本体側連結部
６３  回動用貫通孔
６４１  本体側第一円弧
６４２  本体側第二円弧
６５  ピン挿通孔（本体側ピン孔）
６５１  本体側第一ピン孔
６５２  本体側第二ピン孔
６６１  外孔中心線（第一中心線）
６６２  内孔中心線（第二中心線）
２０  取付基台
３０  支持部材
３４  軸部
３５１  支持側第一円弧
３５２  支持側第二円弧
３６  ピン挿通孔（支持側ピン孔）
３６１  支持側第一ピン孔
３６２  支持側第二ピン孔
４０  装飾カバー
５０  ロックピン
５１  頭部
５２  棒状部
２  遊技機
【図１】
2014133035.tif 000003
【図２】
2014133035.tif 000004
【図３】
2014133035.tif 000005
【図４】
2014133035.tif 000006
【図５】
2014133035.tif 000007
【図６】
2014133035.tif 000008
【図７】
2014133035.tif 000009
【図８】
2014133035.tif 000010
【図９】
2014133035.tif 000011
【図１０】
2014133035.tif 000012
【図１１】
2014133035.tif 000013
【図１２】
2014133035.tif 000014
【図１３】
2014133035.tif 000015
【図１４】
2014133035.tif 000016
【図１５】
2014133035.tif 000017
【図１６】
2014133035.tif 000018
【図１７】
2014133035.tif 000019
【図１８】
2014133035.tif 000020
【図１９】
2014133035.tif 000021
【図２０】
2014133035.tif 000022
【図２１】
2014133035.tif 000023